(57)【要約】動作応答モード（２２）を含んだプッシュツートーク通信デバイス（２０、４、５、６）は、その動作応答モードを、セッション開始プロトコル／インターネットプロトコルベースのプッシュツートークネットワークサーバ（２４、２）に示す。本方法は、プッシュツートーク通信デバイスの動作応答モードとして、自動応答モード（２８）、常時自動応答モード（２９）、および手動応答モード（３０）のうちの一つを用いることを含む。セッション開始プロトコル／インターネットプロトコルコアネットワーク（３４）は、ＳＩＰ／ＩＰベースのＰＴＴネットワークサーバを含み、用いられる。動作応答モードは、セッション開始プロトコル／インターネットプロトコルコアネットワークを介して、プッシュツートーク通信デバイスからのセッション開始プロトコルメッセージ（４０）において、ＳＩＰ／ＩＰ  ＰＴＴネットワークサーバに示される。
2007531366.tif 000002
【特許請求の範囲】
【請求項１】
動作モードを含んだプッシュツートーク通信デバイス用の方法であって、該方法は、プッシュツートークネットワークサーバに該動作モードを示し、
該プッシュツートーク通信デバイスの該動作モードとして、第１の応答モードと第２の応答モードとのうちの１つを用いることと、
該プッシュツートークネットワークサーバを含んだ通信ネットワークを用いることと、
該通信ネットワークを介して、該プッシュツートーク通信デバイスからのセッション開始プロトコルメッセージにおいて該プッシュツートークネットワークサーバに該動作モードを示すことと
を包含する、方法。
【請求項２】
前記第１の応答モードとして自動応答モードを用いることと、
前記第２の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項１に記載の方法。
【請求項３】
前記インターネットプロトコルプッシュツートークネットワークサーバに前記プッシュツートーク通信デバイスの前記動作モードを登録することをさらに包含する、請求項２に記載の方法。
【請求項４】
前記インターネットプロトコルコアネットワーク上のセッション開始プロトコルレジストラを用いることと、
第１のセッション開始プロトコル登録メッセージを前記プッシュツートーク通信デバイスから該セッション開始プロトコルレジストラに送信することと
をさらに包含する、請求項３に記載の方法。
【請求項５】
第２のセッション開始プロトコル登録メッセージを前記セッション開始プロトコルレジストラから前記インターネットプロトコルプッシュツートークネットワークサーバに送信することをさらに包含する、請求項４に記載の方法。
【請求項６】
前記プッシュツートーク通信デバイスの前記動作モードとして前記自動応答モードを用いることと、
前記第１のセッション開始プロトコル登録メッセージに、該自動応答モードを表すパラメータを有するヘッダを含めることと
をさらに包含する、請求項４に記載の方法。
【請求項７】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記自動応答モードを表すパラメータを有するヘッダを含めることと、
該インターネットプロトコルプッシュツートークネットワークサーバにおいて、前記プッシュツートーク通信デバイスの状態を該自動応答モードに設定することと
をさらに包含する、請求項６に記載の方法。
【請求項８】
前記プッシュツートーク通信デバイスの前記動作モードとして常時自動応答モードを用いることと、
前記第１のセッション開始プロトコル登録メッセージに、該常時自動応答モードを表すパラメータを有するヘッダを含めることと
をさらに包含する、請求項４に記載の方法。
【請求項９】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記常時自動応答モードを表すパラメータを有するヘッダを含めることと、
該インターネットプロトコルプッシュツートークネットワークサーバにおいて、前記プッシュツートーク通信デバイスの状態を該常時自動応答モードに設定することと
をさらに包含する、請求項８に記載の方法。
【請求項１０】
前記プッシュツートーク通信デバイスの前記動作モードとして前記手動応答モードを用いることと、
前記第１のセッション開始プロトコル登録メッセージに、該手動応答モードを表すパラメータを有するヘッダを含めることと
をさらに包含する、請求項４に記載の方法。
【請求項１１】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記手動応答モードを表すパラメータを有するヘッダを含めることと、
該インターネットプロトコルプッシュツートークネットワークサーバにおいて、前記プッシュツートーク通信デバイスの状態を該手動応答モードに設定することと
をさらに包含する、請求項１０に記載の方法。
【請求項１２】
前記プッシュツートーク通信デバイスの前記動作モードを前記インターネットプロトコルプッシュツートークネットワークサーバに通知することをさらに包含する、請求項２に記載の方法。
【請求項１３】
前記プッシュツートーク通信デバイスの前記動作モードに関連するセッション開始プロトコル加入メッセージを、前記インターネットプロトコルプッシュツートークネットワークサーバから前記インターネットプロトコルコアネットワークに送信することと、
該インターネットプロトコルコアネットワークによって、該セッション開始プロトコル加入メッセージを該プッシュツートーク通信デバイスにルーティングすることと
をさらに包含する、請求項１２に記載の方法。
【請求項１４】
前記プッシュツートーク通信デバイスによって所有される、前記自動応答モードを含んだイベントパッケージを規定および用いることをさらに包含する、請求項１３に記載の方法。
【請求項１５】
前記セッション開始プロトコル加入メッセージを用いて、前記プッシュツートーク通信デバイス上の前記イベントパッケージに加入することと、
前記自動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該自動応答モードに設定することと
をさらに包含する、請求項１４に記載の方法。
【請求項１６】
前記プッシュツートーク通信デバイスによって所有される、前記自動応答モードを含んだイベントパッケージを規定および用いることをさらに包含する、請求項１２に記載の方法。
【請求項１７】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を前記自動応答モードに設定することと
をさらに包含する、請求項１６に記載の方法。
【請求項１８】
前記プッシュツートーク通信デバイスによって所有される、常時自動応答モードを含んだイベントパッケージを規定および用いることをさらに包含する、請求項１３に記載の方法。
【請求項１９】
前記セッション開始プロトコル加入メッセージを用いて、前記プッシュツートーク通信デバイス上の前記イベントパッケージに加入することと、
前記常時自動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項１８に記載の方法。
【請求項２０】
前記プッシュツートーク通信デバイスによって所有される、前記常時自動応答モードを含んだイベントパッケージを規定および用いることをさらに包含する、請求項１２に記載の方法。
【請求項２１】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項２０に記載の方法。
【請求項２２】
前記プッシュツートーク通信デバイスによって所有される、前記手動応答モードを含んだイベントパッケージを規定および用いることをさらに包含する、請求項１３に記載の方法。
【請求項２３】
前記セッション開始プロトコル加入メッセージを用いて、前記プッシュツートーク通信デバイス上の前記イベントパッケージに加入することと、
前記手動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項２２に記載の方法。
【請求項２４】
前記プッシュツートーク通信デバイスによって所有される、前記手動応答モードを含んだイベントパッケージを規定および用いることをさらに包含する、請求項１２に記載の方法。
【請求項２５】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項２４に記載の方法。
【請求項２６】
前記プッシュツートーク通信デバイスの前記動作モードを、前記インターネットプロトコルコアネットワークのプレゼンスサーバに公開することをさらに包含する、請求項２に記載の方法。
【請求項２７】
前記プッシュツートーク通信デバイスの前記動作モードを、前記インターネットプロトコルプッシュツートークネットワークサーバに公開することをさらに包含する、請求項２に記載の方法。
【請求項２８】
前記プッシュツートーク通信デバイスに対して、前記動作モードを含んだイベントパッケージを規定および用いることをさらに包含する、請求項２６に記載の方法。
【請求項２９】
前記イベントパッケージに対するセッション開始プロトコル加入メッセージを、前記インターネットプロトコルプッシュツートークネットワークサーバから前記インターネットプロトコルコアネットワークに送信することと、
該インターネットプロトコルコアネットワークによって、該セッション開始プロトコル加入メッセージを前記インターネットプロトコルコアネットワークの前記プレゼンスサーバにルーティングすることと
をさらに包含する、請求項２８に記載の方法。
【請求項３０】
前記自動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３１】
前記インターネットプロトコルコアネットワークによって、前記セッション開始プロトコル公開メッセージを前記プレゼンスサーバにルーティングすることと、
前記自動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該自動応答モードに設定することと
をさらに包含する、請求項３０に記載の方法。
【請求項３２】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記自動応答モードに設定することと
をさらに包含する、請求項３０に記載の方法。
【請求項３３】
常時自動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３４】
前記インターネットプロトコルコアネットワークによって、前記セッション開始プロトコル公開メッセージを前記プレゼンスサーバにルーティングすることと、
前記常時自動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項３３に記載の方法。
【請求項３５】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記常時自動応答モードに設定することと
をさらに包含する、請求項３３に記載の方法。
【請求項３６】
前記手動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３７】
前記インターネットプロトコルコアネットワークによって、前記セッション開始プロトコル公開メッセージを前記プレゼンスサーバにルーティングすることと、
前記手動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項３６に記載の方法。
【請求項３８】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記手動応答モードに設定することと
をさらに包含する、請求項３６に記載の方法。
【請求項３９】
前記プッシュツートーク通信デバイスとして無線プッシュツートーク端末を用いることをさらに包含する、請求項２に記載の方法。
【請求項４０】
前記インターネットプロトコルコアネットワークとしてセッション開始プロトコル／インターネットコアネットワークを用いることをさらに包含する、請求項２に記載の方法。
【請求項４１】
前記インターネットプロトコルプッシュツートークネットワークサーバに前記動作モードを示すために、前記インターネットプロトコルコアネットワークとして、セッション開始プロトコルセルラ方式プッシュツートークネットワークを用いることをさらに包含する、請求項２に記載の方法。
【請求項４２】
前記プッシュツートーク通信デバイスにおいて、前記自動応答モードと、常時自動応答モードと、前記手動応答モードとのうちの一つを選択することと、前記インターネットプロトコルコアネットワークを介して、前記インターネットプロトコルプッシュツートークネットワークサーバに該プッシュツートーク通信デバイスからのセッション開始プロトコルメッセージにおいて該動作モードを示すことを、応答して提供することと、をさらに包含する、請求項２に記載の方法。
【請求項４３】
前記プッシュツートーク通信デバイスにおいて、前記自動応答モードと、前記常時自動応答モードと、前記手動応答モードとのうちの一つを選択するために、トグルスイッチを用いることをさらに包含する、請求項４２に記載の方法。
【請求項４４】
前記インターネットプロトコルコアネットワーク上のセッション開始プロトコルプレゼンスサーバを用いることと、
前記動作モードを含んだセッション開始プロトコル登録メッセージを、前記プッシュツートーク通信デバイスから該インターネットプロトコルコアネットワークに送信することと、
該インターネットプロトコルコアネットワークによって、該動作モードを含んだ該セッション開始プロトコル登録メッセージを該プレゼンスサーバにルーティングすることと
をさらに包含する、請求項２に記載の方法。
【請求項４５】
前記動作モードを含んだセッション開始プロトコル通知メッセージを、前記プレゼンスサーバから前記インターネットプロトコルコアネットワークに送信することと、
該インターネットプロトコルコアネットワークによって、該動作モードを含んだ該セッション開始プロトコル通知メッセージを前記インターネットプロトコルプッシュツートークネットワークサーバにルーティングすることと
をさらに包含する、請求項４４に記載の方法。
【請求項４６】
前記インターネットプロトコルコアネットワーク上のセッション開始プロトコル登録サーバを用いることと、
該セッション開始プロトコル登録サーバにおいて、前記インターネットプロトコルプッシュツートークネットワークサーバから前記プッシュツートーク通信デバイスに対する登録イベントパッケージへの加入を受諾することと、
該プッシュツートーク通信デバイスの前記動作モードを該登録サーバに登録することと
をさらに包含する、請求項２に記載の方法。
【請求項４７】
前記動作モードに対するセッション開始プロトコル通知メッセージを前記登録サーバから前記インターネットプロトコルプッシュツートークネットワークサーバに送信することをさらに包含する、請求項４６に記載の方法。
【請求項４８】
前記インターネットプロトコルコアネットワーク上のセッション開始プロトコル登録サーバを用いることと、
該セッション開始プロトコル登録サーバにおいて、前記インターネットプロトコルプッシュツートークネットワークサーバから前記プッシュツートーク通信デバイスに対する登録イベントパッケージへの加入を受諾することと、
該プッシュツートーク通信デバイスの前記動作モードを該登録サーバに登録することと、
該インターネットプロトコルプッシュツートークネットワークサーバに該動作モードを通知することと
をさらに包含する、請求項２に記載の方法。
【請求項４９】
前記プッシュツートーク通信デバイスの前記動作モードとして第１の動作モードを用いることと、
該第１の動作モードを該プッシュツートーク通信デバイスの異なる第２の動作モードに変更することと、
該プッシュツートーク通信デバイスの該異なる第２の動作モードを前記登録サーバに登録することと、
前記インターネットプロトコルプッシュツートークネットワークサーバに該異なる第２の動作モードを通知することと
をさらに包含する、請求項４８に記載の方法。
【請求項５０】
前記インターネットプロトコルコアネットワーク上のセッション開始プロトコル登録サーバを用いることと、
該インターネットプロトコルコアネットワーク上のセッション開始プロトコルプレゼンスサーバを用いることと、
該セッション開始プロトコル登録サーバにおいて、前記インターネットプロトコルプレゼンスサーバから前記プッシュツートーク通信デバイスに対する登録イベントパッケージへの加入を受諾することと、
該プッシュツートーク通信デバイスの前記動作モードを該登録サーバに登録することと
をさらに包含する、請求項２に記載の方法。
【請求項５１】
前記動作モードに対するセッション開始プロトコル通知メッセージを前記登録サーバから前記プレゼンスサーバに送信することをさらに包含する、請求項５０に記載の方法。
【請求項５２】
前記動作モードに対する別のセッション開始プロトコル通知メッセージを前記プレゼンスサーバから前記インターネットプロトコルプッシュツートークネットワークサーバに送信することをさらに包含する、請求項５１に記載の方法。
【請求項５３】
動作モードを含んだプッシュツートーク通信デバイス用の方法であって、該方法は、プッシュツートークネットワークサーバに該動作モードを示し、
該プッシュツートーク通信デバイスの該動作モードとして、第１の応答モードと第２の応答モードと第３の応答モードとのうちの１つを用いることと、
該プッシュツートークネットワークサーバを含んだ通信ネットワークを用いることと、
該通信ネットワークを介して、該プッシュツートーク通信デバイスからのセッション開始プロトコルメッセージにおいて該プッシュツートークネットワークサーバに該動作モードを示すことと
を包含する、方法。
【請求項５４】
前記第１の応答モードとして自動応答モードを用いることと、
前記第２の応答モードとして常時自動応答モードを用いることと、
前記第３の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項５３に記載の方法。
【請求項５５】
前記プッシュツートーク通信デバイスにおいて、前記自動応答モードと、前記常時自動応答モードと、前記手動応答モードとのうちの一つを選択するために、トグルスイッチを用いることをさらに包含する、請求項５４に記載の方法。
【請求項５６】
動作モードを含んだプッシュツートーク通信デバイス用の方法であって、該方法は、プッシュツートークネットワークサーバに該動作モードを送信し、
該プッシュツートーク通信デバイスの該動作モードとして、少なくとも、第１の応答モードと第２の応答モードとのうちの１つを用いることと、
該プッシュツートークネットワークサーバを含んだ通信ネットワークを用いることと、
該通信ネットワークを介して、該プッシュツートーク通信デバイスからの、または該プッシュツートーク通信デバイスの代わりの別のデバイスからのイベント報告メッセージにおいて該プッシュツートークネットワークサーバに該動作モードを送信することと
を包含する、方法。
【請求項５７】
前記第１の応答モードとして自動応答モードを用いることと、
前記第２の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項５６に記載の方法。
【請求項５８】
前記プッシュツートーク通信デバイスの前記動作モードとして第３の応答モードとしての常時自動応答モードを用いることをさらに包含する、請求項５７に記載の方法。
【請求項５９】
前記イベント報告メッセージとしてセッション開始プロトコルメッセージを用いることをさらに包含する、請求項５６に記載の方法。
【請求項６０】
前記イベント報告メッセージとしてセッション開始プロトコル通知メッセージ用いることをさらに包含する、請求項５６に記載の方法。
【請求項６１】
前記イベント報告メッセージとしてセッション開始プロトコル公開メッセージ用いることをさらに包含する、請求項５６に記載の方法。
【請求項６２】
前記イベント報告メッセージにおけるイベントを前記動作モードに対してエンコードするように、イベントパッケージを用いることをさらに包含する、請求項６０に記載の方法。
【請求項６３】
前記イベント報告メッセージにおけるイベントを前記動作モードに対してエンコードするように、イベントパッケージを用いることをさらに包含する、請求項６１に記載の方法。
【請求項６４】
前記イベント報告メッセージに対する前記イベントパッケージのＸＭＬエンコードを用いることをさらに包含する、請求項６２に記載の方法。
【請求項６５】
前記イベント報告メッセージに対する前記イベントパッケージのＸＭＬエンコードを用いることをさらに包含する、請求項６３に記載の方法。
【発明の詳細な説明】
【技術分野】
【０００１】
（関連出願の相互参照）
本出願は、米国仮特許出願第６０／５６１，６６４号（２００４年４月１３日出願）、および、米国仮特許出願第６０／６２０，０３４号（２００４年１０月１９日出願）の利益を主張する。
【０００２】
（発明の分野）
本発明は一般に、通信デバイス間の通信方法に関し、より詳細には、例えばセル式電話システムなどの、通信システムにおけるプッシュツートーク（ＰＴＴ）通信サービスのための方法および装置に関する。
【背景技術】
【０００３】
例えば、ｐｕｓｈ−ｔｏ−ｔａｌｋ  ｏｖｅｒ  ｃｅｌｌｕｌａｒ（ＰｏＣ）システムなどのワイヤレスプッシュツートーク（ＰＴＴ）通信システムは、セル式電話などのワイヤレス通信デバイスをそれぞれ有する個々人からなるグループが、そのグループの他のメンバーと通信することを可能にする。初期のＰＴＴシステムは典型的には、単一の周波数、または専用の同報通信チャンネルに依存し、その周波数またはチャンネルを介して、その通信はワイヤレス通信デバイスによって受信されていた。最も初期のシステムにおいては、たった一人のメンバーが一度に情報を他のメンバーに送信することが可能であった。しかしながら、全てのメンバーは、通信を送信しているメンバーからその通信を受信するために、専用のチャンネルを聞くことが可能であった。システムの他のメンバーに送信することを望むメンバーは、通常は、そのメンバーのワイヤレス通信デバイス上のＰＴＴボタンを押すことによって、アクセス要求を送信し、それにより、その専用のチャンネルへの単独のアクセスが可能であった。
【０００４】
インターネット電話は、インターネットプロトコル（ＩＰ）ネットワークを介した音声トラフィックの搬送のための多数の技術を含む。ＩＰ信号プロトコルの例は、国際電気通信連合・電気通信標準化部門（ＩＴＵ−Ｔ）Ｈ．３２３、および、３ＧＰＰ  ＩＰマルチメディアサブシステム（ＩＭＳ）のための信号プロトコルとして使用されている、インターネット・エンジニアリング・タスク・フォース（ＩＥＴＦ）の特化型セッション開始プロトコル（ＳＩＰ）である、ＲＦＣ３２６１を含む。ワイヤレス通信デバイスは、例えば、ＳＩＰを用いて、互いに（例えば、ネット）通信することを要求する人々の様々なグループを発見、参加、退去、および学習する。そのＳＩＰは、通信業界において使用される周知の信号プロトコルである。ＳＩＰは、一人以上のユーザとのセッションを作成、修正、および終了させるための、アプリケーション層制御（信号）プロトコルである。これらのセッションは、例えば、インターネット電話、マルチメディア配布、およびマルチメディア会議などを含む。
【０００５】
一つのＳＩＰ機能は、ＳＩＰ  ｕｎｉｆｏｒｍ  ｒｅｓｏｕｒｃｅ  ｉｄｅｎｔｉｆｉｅｒ（すなわち、ネットワークプロトコルにおける送信および人間言語での通信の表示のために、リソースおよびユーザをアドレスするために用いられる文字列、例えば、ＳＩＰ：ＵＲＩ）と一つ以上のコンタクトアドレス（例えば、ＩＰアドレスなどのデバイスアドレス）との間の登録である。登録は、ワイヤレス通信デバイスが、他のワイヤレス通信デバイスと通信すること、および他のワイヤレス通信デバイスによって認識されることを可能にする。ＳＩＰは、その登録機能を介して、ユーザ媒体が、登録を作成、修正、および削除することを可能にする。基本的な登録は、その登録が参照する、記録されているアドレス（ａｄｄｒｅｓｓ−ｏｆ−ｒｅｃｏｒｄ）、登録の識別、および登録の状態を含む。その登録状態は、開始、起動、および終了され得る。その記録されているアドレスに結びついている少なくとも一つのコンタクトが存在する限り、ＳＩＰ状態機械は、アクティブ状態のままである。最後のコンタクトの期限が終了したり、または除去された場合、その登録は終了状態へと遷移する。その登録状態は通常、プロキシ／レジストラ（ｒｅｇｉｓｔｒａｒ）または別個のデータベースに格納される。ＳＩＰワイヤレス通信デバイスが継続的にオンである場合、それは、３ＧＰＰ  ＩＭＳ  ＳＩＰベースネットワークのサービスに使用される場合に、ＳＩＰ／ＩＰネットワークに継続的に登録されなければならない。登録は、政策（ｐｏｌｉｃｙ）管理者によって使用され得、登録を終了または短縮し、および、ワイヤレス通信デバイスが、それが再認証され得るために再登録することを要求する。
【０００６】
ＳＩＰ  ＰＴＴワイヤレス通信デバイス、またはＰＴＴ端末は、自動応答モードおよび手動応答モードを含む、異なる動作応答モードをサポートし得る。例えば、ＰＴＴ端末が自動応答モードにある場合で、それに対応するネット／グループの別のユーザがＰＴＴ端末上のＰＴＴボタンを押し、そのＰＴＴ端末へと会話をする場合、自動応答モードに設定されたＰＴＴ端末を有する他のユーザ（または複数のユーザ）はＰＴＴ端末からのその話された音声を聞く。あるいは、ＰＴＴ端末が手動応答モードにある場合、そのＰＴＴ端末の他のユーザ（または複数のユーザ）は、その話された音声を聞く前に、手動で応答しなければならない（例えば、ＰＴＴ端末において、最初に「合図（ｒｉｎｇ）」がある）。この基本コンセプトへの更なる改良は、それぞれのユーザからのＰＴＴセッションのための、動作応答モードのユーザごとの認証を用いた、ネットワークに格納された認証受諾リスト（Ａｕｔｈｏｒｉｚａｔｉｏｎ  Ａｃｃｅｐｔ  Ｌｉｓｔ）の使用である（一部のユーザは手動応答の特権のみ有し得、他方、他のユーザは自動応答の特権を有し得る）。ユーザごとの認証を用いて使用される場合、ＰＴＴセッションのための取り扱いは、受諾リスト上の発呼側ユーザの認証特権、およびその端末によって設定された動作応答モードの組み合わせによって決定される。それゆえ、自動応答のための二つの可能な場合、（１）受諾リスト上の自動応答特権を有するユーザのみがその端末を自動的に応答させる、自動応答モード、および（２）受諾リスト上の全てのユーザが、特権に関係なく、その端末を自動的に応答させる、常時自動応答モード、が存在する。この端末は、これらの動作モードのうちの１つ、２つ、または３つ全部のモードをサポートし得る。動作応答モードは、例えば物理的なスイッチまたはボタン、あるいは使用可能なプロフィールの一つ以上の設定を用いることによって、あるいは、一部の他の適切なメカニズムによって、ＰＴＴ端末において、ユーザによって選択され得る。動作応答モードはＳＩＰ  ＰＴＴセッションのセットアップを制御するＳＩＰ／ＩＰ  ＰＴＴネットワークサーバのネットワーク信号シナリオを変化させるゆえに、ＳＩＰ  ＰＴＴ端末のこのモードはネットワークサーバと通信する必要がある。
【０００７】
図１は、ＰＴＴサーバ２、プレゼンスサーバ３、および複数のＳＩＰ  ＰＴＴ端末４、５、６を含む、ＳＩＰ／ＩＰコアネットワーク１を示す。ワイヤレスＳＩＰ  ＰＴＴ端末４、５、６が図示されるが、有線（例えば、陸線ベースまたはローカルエリアネットワーク（ＬＡＮ）ベース）のＰＴＴ端末（図示されず）が用いられてもよい。
【０００８】
参照番号４などのＰＴＴ端末は、オプションのアンテナ８、オプションのディスプレイ９、複数のキー１０、送話口またはマイクロフォン１１、受話器、イアフォン、ヘッドセットまたはスピーカ１２、およびＰＴＴスイッチ１３を通常、含み得る。あるいは、存在するキー１０の一つまたは表示されたメニューオプションの選択は、専用のＰＴＴスイッチ１３を使用する代わりに、ＰＴＴモードでの通信においてＰＴＴスイッチとして機能し得る。
【０００９】
ＳＩＰ／ＩＰコアネットワーク１において、グループ作成はＨＴＴＰおよびＸＣＡＰに可能であれば基づき、信号制御はＳＩＰに基づく。音声トラフィックは、音声や映像などのリアルタイムのデータを送信するアプリケーションのための、エンド・ツー・エンドネットワーク搬送機能を提供するように設計されているリアルタイム搬送プロトコル（ＲＴＰ）などの適切なインターネットプロトコルを介してなされる。ＳＩＰおよびＲＴＰの両方は、ＵＤＰ層およびＩＰ層を含む、ＩＰ関連スタックの最上に位置する。複数の適切なＰｏＣアプリケーションはＰｏＣプロトコルスタックの最上層を形成し、そのＰｏＣプロトコルスタックはそのＩＰ関連スタックを含む。３ＧＰＰ  Ｒ９９アップグレードＧＰＲＳまたはＥ−ＧＰＲＳあるいはＷ−ＣＤＭＡ／ＵＭＴＳ、またはＣＤＭＡ  ２０００  １Ｘまたはその変形、ＷＬＡＮアクセスまたは他の３Ｇ無線アクセス技術などの適切なモバイルチャンネルが、ヘッダ圧縮およびストリーミングトラフィッククラスＱｏＳ（Ｑｕａｌｉｔｙ  ｏｆ  Ｓｅｒｖｉｃｅ）をサポートする、アクセスネットワークを提供する。
【００１０】
ヘッダは参照番号１４などのＳＩＰメッセージの要素であり、メッセージについての情報を運ぶ。ヘッダ領域のシーケンスとして構造化されている。
【００１１】
ヘッダ領域はＳＩＰメッセージヘッダの要素である。ヘッダ領域は一つ以上のヘッダ領域行として存在し得る。ヘッダ領域行は、ヘッダ領域名およびゼロ以上のヘッダ領域値からなる。所与のヘッダ領域行上の複数のヘッダ領域値はコンマによって切り離される。一部のヘッダ領域は単一のヘッダ領域値のみを有し得、結果として、常に単一のヘッダ領域行として存在する。
【００１２】
ヘッダ領域値は単一の値である。ヘッダ領域はゼロ以上のヘッダ領域値からなる。
【００１３】
メッセージはＳＩＰプロトコルの一部として、参照番号２〜７などのＳＩＰ要素間において送信されるデータである。ＳＩＰメッセージ１４、１５、１６はリクエストまたは応答のいずれかである。
【００１４】
参照番号１４、１５などのリクエストは、特定の動作を引き起こすために、クライアントからサーバへ送信されるＳＩＰメッセージである。
【００１５】
参照番号１６などの応答は、クライアントからサーバへ送信されるリクエストの状態を示すために、サーバからクライアントへ送信されるＳＩＰメッセージである。
【００１６】
参照番号２、３、７などのサーバは、リクエストを提供するために、それらのリクエストを受信し、それらのリクエストに対する応答を送信するネットワーク要素である。サーバの例は、プロキシ、ユーザエージェントサーバ、リダイレクトサーバ、およびレジストラである。
【００１７】
ネットワークベースのＰＴＴサーバ２は、一人のユーザからグループ通信のための招待を受信する。それに応答して、サーバ２は、そのグループの他の全てのメンバーを通信に招待し、「発言権」（すなわち、話す権利）を制御し、ネット／グループの全てのメンバー間における通信をブリッジし、ならびに、適切な信号状態のために、ＳＩＰ  ＰＴＴ端末４、５、６の現在の応答モードおよび通信メディアの取り扱いを知る必要がある。
【００１８】
ネットワークベースのプレゼンスサーバ３は個々のＳＩＰ  ＰＴＴ端末４、５、６、および可能であれば、他のネットワークベースのソース（例えば、参照番号２、７などのサーバ）によって公開されるプレゼンス情報を格納し、それらの端末を使用するプレゼンス情報に加入されている認証されたウォッチャーに対して、プレゼンス情報の通知を送る。
【００１９】
ＳＩＰレジストラ７は、ＳＩＰレジスタリクエストを受諾し、サーバがそれらのリクエストにおいて受信する情報を、サーバが取り扱うドメインに対するロケーションサービスデータベースに配置するサーバである。
【００２０】
ＰｏＣ  ＳＩＰ／ＩＰコアネットワークにおいて設定される応答モードを処理するための一つの公知の従来の提案が存在する。制御リストを受諾することに加えて、ＰｏＣシステムは、自動応答モードフラグを有し、自動応答モードフラグは、ユーザベースおよび／またはグループベースで設定され得る。自動応答モードフラグは、ＰｏＣ  ＰＴＴサーバ２によってアクセスされるグループ管理データベースにおけるグループ管理サーバ（ＧＬＭＳ）において格納される。ユーザは、自動的に入呼セッションリクエストを受諾するか、そのリクエストを受諾する前にプロンプトされるかのいずれかのために、参照番号４などの対応するＰＴＴ端末を構成する能力を有する。最も単純な場合において、ユーザが自動応答モードをオンに設定している場合、自動応答モードは入呼ＰｏＣセッションに適用される。別の方法において、自動応答モードがオフである場合、手動応答モードが適用される。
【００２１】
この従来の提案が不適切であると考えられるのは、（１）ＧＬＭＳにおけるデータを修正することが、ＨＴＴＰデータベース修正プロトコルの使用を要求する、（２）応答モードの変更が、例えば、スイッチまたはプロフィールの選択によってなされ得、データベース操作に対して首尾良くマッピングしない（例えば、これは、スイッチなどの単純な刺激に応答するデータベースと同期し、データベースを操作するために、端末において高度な複雑性を要求し、また、仲間のユーザがグループを制御するため、個々のユーザは、ユーザ自身のグループおよび認証リストを操作するための認証を有し得ない場合もあるので、そのデータベース操作プロトコルは、全ての端末によってサポートされ得ない場合もあり、さらに、単純な電話キーパッドは、テキストベースの情報の大きなリストを入力および作成するのに理想的ではない）、および（３）ユーザに依存して、応答モードは一日に何度も変更され得（例えば、それは相対的に、ダイナミックである）、その一方で、ＧＬＭＳにおいて格納されているデータ（例えば、アドレス帳入力；それらのユーザのための選好）は殆ど変更されない（例えば、それは相対的に、殆ど静的である）。ＩＥＴＦは、相対的に静的なデータの区域を「ハード状態」、相対的にダイナミックなデータの区域を「ソフト状態」と規定している。異なるプロトコルのメカニズムは、ハード状態のデータおよびソフト状態のデータを操作するために適している。応答モードはソフト状態として考えられており、データベースにおけるグループおよびリストの操作はハード状態として考えられている。
【００２２】
それゆえ、ＨＴＴＰメカニズムを採用することよりも、応答モード状態変更／イベントをネットワークに単に報告することのほうがより効果的であると考えられている。従って、ワイヤレスＰＴＴシステムおよびその方法における改良の余地が存在する。
【発明の開示】
【課題を解決するための手段】
【００２３】
これらのニーズおよび別のニーズは、動作モードを含んだプッシュツートーク（ＰＴＴ）通信デバイス用の方法であって、プッシュツートークネットワークサーバにその動作モードを示す、方法を提供する本発明によって、満たされる。
【００２４】
本発明の一局面として、動作モードを含んだプッシュツートーク通信デバイス用の方法であって、プッシュツートークネットワークサーバに動作モードを示す、方法は、プッシュツートーク通信デバイスの動作モードとして、第１の応答モードと第２の応答モードとのうちの１つを用いることと；プッシュツートークネットワークサーバを含んだ通信ネットワークを用いることと；通信ネットワークを介して、プッシュツートーク通信デバイスからのセッション開始プロトコルメッセージにおいてプッシュツートークネットワークサーバに動作モードを示すことと；を含む。
【００２５】
この方法は、第１の応答モードとして自動応答モードを用いることと；第２の応答モードとして手動応答モードを用いることと；通信ネットワークとしてインターネットプロトコルコアネットワークを用いることと；プッシュツートークネットワークサーバとしてインターネットプロトコルプッシュツートークネットワークサーバを用いることと；をさらに含み得る。
【００２６】
本発明の別の局面として、動作モードを含んだプッシュツートーク通信デバイス用の方法であって、プッシュツートークネットワークサーバに動作モードを示す、方法は、プッシュツートーク通信デバイスの動作モードとして、第１の応答モードと第２の応答モードと第３の応答モードとのうちの１つを用いることと；プッシュツートークネットワークサーバを含んだ通信ネットワークを用いることと；通信ネットワークを介して、プッシュツートーク通信デバイスからのセッション開始プロトコルメッセージにおいてプッシュツートークネットワークサーバに動作モードを示すことと；を含む。
【００２７】
この方法は、第１の応答モードとして自動応答モードを用いることと；第２の応答モードとして常時自動応答モードを用いることと；第３の応答モードとして手動応答モードを用いることと；通信ネットワークとしてインターネットプロトコルコアネットワークを用いることと；プッシュツートークネットワークサーバとしてインターネットプロトコルプッシュツートークネットワークサーバを用いることと；をさらに含み得る。
【００２８】
本発明の別の局面として、動作モードを含んだプッシュツートーク通信デバイス用の方法であって、プッシュツートークネットワークサーバに動作モードを示す、方法は、プッシュツートーク通信デバイスの動作モードとして、少なくとも、第１の応答モードと第２の応答モードとのうちの１つを用いることと；プッシュツートークネットワークサーバを含んだ通信ネットワークを用いることと；通信ネットワークを介して、プッシュツートーク通信デバイスからの、またはプッシュツートーク通信デバイスの代わりの別のデバイスからのイベント報告メッセージにおいて、プッシュツートークネットワークサーバに動作モードを送信することと；を含む。
【発明を実施するための最良の形態】
【００２９】
本発明の完全なる理解は、添付の図面と共に読む場合に、以下の好適な実施形態の記載から得られ得る。
【００３０】
本明細書で用いられる場合、用語「指示する（ｉｎｄｉｃａｔｅ）」および「指示（ｉｎｄｉｃａｔｉｎｇ）」は、通知する（ｎｏｔｉｆｙ）および通知（ｎｏｔｉｆｙｉｎｇ）、公開する（ｐｕｂｌｉｓｈ）および公開（ｐｕｂｌｉｓｈｉｎｇ）、ならびに、登録する（ｒｅｇｉｓｔｅｒ）および登録（ｒｅｇｉｓｔｅｒｉｎｇ）を明確に含むが、それらに限定されない。
【００３１】
本明細書で用いられる場合、用語「ワイヤレス通信デバイス」は、セル式電話、携帯電話、ワイヤレスプッシュツートーク（ＰＴＴ）端末、モバイル電気通信デバイス、および、ワイヤレスローカルエリアネットワーク（ＷＬＡＮ）端末などの、ワイヤレス携帯用電気デバイスを明確に含むが、それらに限定されない。
【００３２】
本明細書で用いられる場合、用語「ＰＴＴ端末」は、ワイヤレスＰＴＴ端末および有線ＰＴＴ端末を明確に含むが、それらに限定されない。
【００３３】
本明細書で用いられる場合、用語「イベント報告メッセージ」は、エンティティにおけるイベントまたは状態の変更を報告するメッセージを意味する。そのイベント報告メッセージは、イベントへの加入に関連する通知を受信するために、他のエンティティによる加入に応答した通知として別のエンティティへ送信され得（例えば、限定を付せず、ＳＩＰ通知方法）、あるいは、別のエンティティに非同期的にプッシュまたは公開され得る（例えば、限定を付せず、ＳＩＰ公開方法）。
【００３４】
本明細書で用いられる場合、用語「イベントパッケージ」は、通知エンティティによって別のエンティティに報告される状態情報のセットを規定する仕様を意味する。イベントパッケージはそのような状態情報を運ぶためのシンタックスおよびセマンティックスを規定する。
【００３５】
本明細書で用いられる場合、用語「ＸＭＬ」は、拡張可能マークアップ言語を意味する。
【００３６】
本発明は、セッション開始プロトコル（ＳＩＰ）セル式プッシュツートーク（ＰＴＴ）（ＰｏＣ）ネットワークに関連して記載されるが、本発明は、インターネットプロトコル（ＩＰ）コアネットワークに適用可能である。
【００３７】
図２は、インターネットプロトコルＰＴＴネットワークサーバ２４に対して動作応答モード２２を指示するために、その動作応答モード２２を含む、ＳＩＰ  ＰＴＴ端末２０のための方法を示す。本方法は、参照番号２６において、自動応答モード２８、常時自動応答モード２９、および手動応答モード３０のうちの一つとして、動作応答モード２２を用いることを含む。次に、参照番号３２において、セッション開始プロトコル／インターネットプロトコルコアネットワーク３４は、インターネットプロトコルＰＴＴネットワークサーバ２４を含み、用いられる。最後に、参照番号３８において、動作モード２２は、参照番号４０において、ＳＩＰ  ＰＴＴ端末２０から、セッション開始プロトコル／インターネットプロトコルコアネットワーク３４を介して、インターネットプロトコルベースＰＴＴネットワークサーバ２４へと、セッション開始プロトコルメッセージの中で示される。
【００３８】
図３は、ＰＴＴサーバ４４において、ＰＴＴ端末４２の動作モードを変更するためのメッセージ図を示し、ＰＴＴ端末４２は、ＰＴＴスイッチ１３および自動／手動トグルスイッチ４３を含む。ＳＩＰはＰＴＴ端末４２などの性能をサポートし、コンタクトヘッダ領域のｆｅａｔｕｒｅ−ｐａｒａｍを拡張することによって、ＳＩＰコンタクトヘッダ５１などを使用して、ＳＩＰ登録リクエスト５０などにおいてサポートする特性を示す。特性タグは、ユーザ定義の拡張であるタグのためのプラス記号にて開始され得る。適切なメカニズムは表１に示される。
【００３９】
【表１】
2007531366.tif 000003
“＊”はそれらの任意の数を意味する；
“／”は代案（例えば、Ｘ／ＹはＸまたはＹを意味する）を意味する；
ｆｅａｔｕｒｅ−ｐａｒａｍは、コンタクトヘッダ領域における一定のリソースインジケータに関連するユーザエージェントの特性を記載する特性パラメータである。特性パラメータは識別可能である。なぜならば、それらは、ベース特性タグの周知のセットに属するか、またはプラス記号にて開始するかのいずれかだからである。
【００４０】
このメカニズムは、拡張されるｆｅａｔｕｒｅ−ｐａｒａｍのｅｎｃ−ｆｅａｔｕｒｅ−ｔａｇを提供する。ｅｎｃ−ｆｅａｔｕｒｅ−ｔａｇは、ＰＴＴ端末４２の現在の動作モードを示すＳＩＰコンタクトヘッダ５１の一部として含まれる。例えば、＋ｐｏｃ．ｏｐｅｒａｔｉｎｇ．ｍｏｄｅ＝“Ａｕｔｏ”は、ＰＴＴ端末４２のスイッチ４３が自動応答モード（Ａ）にあることを示すために用いられ得る。ＰＴＴ端末４２は、それぞれのＳＩＰ登録の間、コンタクトヘッダにおけるこのｆｅａｔｕｒｅ−ｐａｒａｍを含み得る。ＰＴＴ端末４２のモードがユーザによって変更される場合、ＰＴＴ端末４２は、ＳＩＰ登録リクエストのコンタクトヘッダにおける新しい値を用いて、そのｆｅａｔｕｒｅ−ｐａｒａｍを含む登録をリフレッシュする。ＰＴＴセッションのセットアップを制御するＳＩＰ  ＰＴＴサーバ４４は、ＰＴＴ端末４２の動作モードを得るために、ＳＩＰ／ＩＰコア４８におけるＳＩＰレジストラ４６から登録情報を得るために必要である。
【００４１】
図３は、ＰＴＴ端末４２の自動応答モード５８に関連するＳＩＰメッセージ５０、５２、６０、６２、および、手動応答モード６８に関連するＳＩＰメッセージ６４、６６、７０、７２の二つのグループを示す。最初に、ＰＴＴ端末４２は、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッダ５１を含むＳＩＰ／ＩＰコア４８へのＳＩＰ登録リクエスト５０を、送信することによって、自動応答モードにおいて、ＳＩＰ／ＩＰコア４８に登録する。そのＳＩＰ／ＩＰコア４８におけるＳＩＰレジストラ４６は、ＰＴＴ端末４２が登録する場合、ＰＴＴサーバ４４に、第三者登録を実行するように構成される。ＳＩＰ／ＩＰコア４８におけるＳＩＰレジストラ４６は、ＳＩＰ登録リクエスト５２を、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッド５３を含むＰＴＴサーバ４４に送信する。それに応答して、ＰＴＴサーバ４４は、その状態テーブル５６（例えば、他のＰＴＴ端末（図示されず）のためのＰＴＴ  Ｂ状態、およびＰＴＴ  Ｃ状態もまた含む）における対応するＰＴＴ端末４２の状態５４（例えばＰＴＴ  Ａ状態）を自動応答モード５８に設定する。次いで、ＳＩＰ／ＩＰコア４８におけるＳＩＰレジストラ４６は、ＰＴＴ端末４２へのＳＩＰ  ２００  ＯＫ応答６０を用いて、ＳＩＰ登録リクエスト５０に応答する。最後に、ＰＴＴサーバ４４は、ＳＩＰ／ＩＰコア４８におけるＳＩＰレジストラ４６へのＳＩＰ  ２００  ＯＫ応答６２を用いて、ＳＩＰ登録リクエスト５２に応答する。
【００４２】
（実施例１）
自動応答モードを示すために、ＰＴＴ端末４２によって送信される一例としてのＳＩＰ登録リクエストは以下に示される。
【００４３】
【表２】
2007531366.tif 000004
参照番号６３において、ユーザは、手動応答モード（Ｍ）を選択するために、自動／手動トグルスイッチ４３を用いることによって、自動応答モードから手動応答モードへ、ＰＴＴ端末４２をスイッチする。これは、ＰＴＴ端末４２にる登録のリフレッシュをトリガする。あるいは、任意の物理スイッチまたはボタン（図示されず）、可能なプロフィールの一つ以上の設定（図示されず）、メニュー選択（図示されず）、または任意の他の適切な選択メカニズム（図示されず）が用いられ得る。ＰＴＴ端末４２は再び、＋ｐｏｃ．ｏｐｅｒａｔｉｎｇ．ｍｏｄｅ＝“Ｍａｎｕａｌ”のｆｅａｔｕｒｅ−ｐａｒａｍを有するコンタクトヘッダ６５を含むＳＩＰ／ＩＰコア４８へ、ＳＩＰ登録リクエスト６４を送信することによって、ＳＩＰ／ＩＰコア４８に登録する。次に、そのＳＩＰ／ＩＰコア４８におけるＳＩＰレジストラ４６は、ＰＴＴ端末４２が再登録する場合、ＰＴＴサーバ４４に、別の第三者登録を実行する。ＳＩＰ／ＩＰコア４８におけるＳＩＰレジストラ４６は、ＳＩＰ登録リクエスト６６を、＋ｐｏｃ．ｏｐｅｒａｔｉｎｇ．ｍｏｄｅ＝“Ｍａｎｕａｌ”のｆｅａｔｕｒｅ−ｐａｒａｍを有するコンタクトヘッド６７を含むＰＴＴサーバ４４に送信する。ＰＴＴサーバ４４は、その状態テーブル５６における対応するＰＴＴ端末４２の状態５４を手動応答モード６８に設定する。次いで、ＳＩＰ／ＩＰコア４８におけるＳＩＰレジストラ４６は、ＰＴＴ端末４２へのＳＩＰ  ２００  ＯＫ応答７０を用いて、ＳＩＰ登録リクエスト６４に応答する。最後に、ＰＴＴサーバ４４は、ＳＩＰ／ＩＰコア４８におけるＳＩＰレジストラ４６へのＳＩＰ  ２００  ＯＫ応答７２を用いて、ＳＩＰ登録リクエスト６６に応答する。
【００４４】
（実施例２）
手動応答モードを示すために、ＰＴＴ端末４２によって送信される一例としてのＳＩＰ登録リクエストは以下に示される。
【００４５】
【表３】
2007531366.tif 000005
図４を参照すると、別のメッセージ図が、ＰＴＴサーバ４４において、ＰＴＴ端末４２の動作モードを変更するためのメッセージシーケンスを示す。ＳＩＰはＰＴＴサーバ４４などのＳＩＰデバイスの性能をサポートし、適切な加入メカニズムを用いて、ＰＴＴ端末４２などの、他のＳＩＰデバイスにて生じるイベントに加入し、通知する。このメカニズムは、ＳＩＰイベントパッケージに対して、ＳＩＰ加入方法を用いた加入を含む。認証された加入は、ＳＩＰ通知方法を用いて、イベントパッケージに関連するイベントについての通知を受信する。
【００４６】
イベントパッケージはアプリケーション特定仕様であり、通知子（ｎｏｔｉｆｉｅｒ）によって加入者へ報告される状態情報のセットを規定する。
【００４７】
イベントテンプレートパッケージは、それ自体を含む、全ての可能なイベントパッケージに適用され得る状態のセットを規定するイベントパッケージの特別な種類である。
【００４８】
通知は、リソースの状態を加入者に知らせるために、通知メッセージを加入者に送信する通知子の動作である。
【００４９】
通知子は、リソースの状態を加入者に通知するための通知リクエストを生成するユーザエージェントである。通知子はまた、典型的には、加入を作成するために、加入リクエストを受諾する。
【００５０】
状態エージェントは、リソースに成り代わって、状態情報を公開する通知子である。そのようにするためには、複数のソースからそのような状態情報を集めることが必要とされ得る。状態エージェントは、常に、それらが通知を作成するためのリソースの完全な状態情報を有する。
【００５１】
加入者はユーザエージェントであり、通知子からの通知リクエストを受信する。これらの通知リクエストは、加入者が関心を示すリソースの状態についての情報を含む。典型的には、加入者はまた、加入リクエストを生成し、加入を作成するために、通知子へそれらを送信する。
【００５２】
ダイアログは、しばらくの間持続する二つのユーザエージェント間のピアツーピアＳＩＰ関係である。ダイアログは、招待リクエストへの２ｘｘ応答などの、ＳＩＰメッセージによって確立される。
【００５３】
加入は、ダイアログに関連するアプリケーション状態のセットである。このアプリケーション状態は、関連するダイアログへのポインタ、イベントパッケージ名、および可能であれば、識別トークンを含む。新たなイベントパッケージは、追加の加入状態情報のために規定され得る。定義上、加入は、加入者および通知子の両方に存在する。
【００５４】
ＳＩＰイベントパッケージは、ＰＴＴ端末動作モードのために有利に用いられ得る。ＰＴＴセッションのセットアップを制御するＳＩＰ／ＩＰ  ＰＴＴネットワークサーバ（例えば、ＰＴＴサーバ４４）は、対応するＳＩＰ  ＰＴＴ端末の動作（応答）モードイベントパッケージに対して加入する。その対応するＰＴＴ端末４２などは、次いで、動作（応答）モードがそのＰＴＴ端末において変更するときはいつでも、ＰＴＴサーバ４４に対して、ＳＩＰ通知リクエスト８８または９６などを送信する。
【００５５】
ＳＩＰ／ＩＰネットワークにおけるエンティティは、リソース、または様々なリソースのための要求状態、あるいは、ネットワークにおける要求に対して加入し得、ならびに、それらのエンティティ（またはそれに成り代わって動作するエンティティ）が、それらの状態が変更された場合に、通知を送信することができる。メッセージの通常のフローは、（１）状態加入をリクエストするための、加入者から通知子への加入、（２）加入を承認するための、通知子からの２００  ＯＫ応答、（３）現在の状態情報を戻すための、通知子から加入者への通知、（４）通知を承認するための、加入者から通知子への２００  ＯＫ応答、および（５）さらなる状態情報のために、メッセージ（３）および（４）のさらなる反復、を含み得る。したがって、通知メッセージは、加入者に、その加入者が加入を有する状態への変更を通知するために送信される。加入は、典型的には、ＳＩＰ加入方法を用いて、適切な位置に配置されるが、他の適切なメカニズムも用いられ得る。
【００５６】
図４に示されるように、ＰＴＴ端末４２が最初に登録した場合、ＰＴＴサーバ４４は、それに対応するＰＴＴ端末の動作（応答）モードＸＭＬイベントパッケージに対して加入し、そのパッケージは、このアプリケーションに対して、動作（応答）モードＸＭＬイベントパッケージ８１のためのＳＩＰ加入リクエスト８０を、ＳＩＰ／ＩＰコア４８へ送信することによって、規定される。次に、ＳＩＰ／ＩＰコア４８は、参照番号８２において示されるように、ＳＩＰ加入８０をＰＴＴ端末４２に対してルートする。次いで、ＰＴＴ端末４２は、通知子の役割を実行し、ＳＩＰ／ＩＰコア４８に対するＳＩＰ  ２００  ＯＫ応答８４を用いて、参照番号８２においてルートされたＳＩＰ加入８０に応答する。次に、ＳＩＰ／ＩＰコア４８は、参照番号８６において示されるように、ＳＩＰ  ２００  ＯＫ応答８４を、ＰＴＴサーバ４４へルートする。
【００５７】
自動応答モードに対しては、ＰＴＴ端末４２は、ＳＩＰ／ＩＰコア４８に対する通知８８の本体において、動作モード＝自動８９を含むＳＩＰ通知８８を送信することによって、現在の動作モード（例えば、自動応答モード）を通知する。次いで、ＳＩＰ／ＩＰコア４８は、参照番号９０において示されるように、ＳＩＰ通知８８をＰＴＴサーバ４４へルートする。それに応答して、ＰＴＴサーバ４４は、その状態テーブル５６（図３）における対応するＰＴＴ端末４２の状態５４（図３）を、自動応答モード５８’に設定する。次いで、ＰＴＴサーバ４４は、ＳＩＰ／ＩＰコア４８に対するＳＩＰ  ２００  ＯＫ応答９２を用いて、参照番号９０においてルートされた通知８８に応答する。最後に、ＳＩＰ／ＩＰコア４８は、参照番号９４において示されるように、ＳＩＰ２００  ＯＫ応答９２をＰＴＴ端末４２へルートする。
【００５８】
参照番号９５において、ユーザは、自動応答モードから手動応答モードへ、ＰＴＴ端末４２をスイッチする。これは、ＳＩＰ／ＩＰコア４８に対する通知９６の本体において、動作モード＝手動９７を含むＳＩＰ通知９６を送信することによって、新たな動作モード（例えば、手動応答モード）を通知するようにＰＴＴ端末４２をトリガする。ＳＩＰ／ＩＰコア４８は、参照番号９８において示されるように、ＳＩＰ通知９６をＰＴＴサーバ４４へルートする。それに応答して、ＰＴＴサーバ４４は、その状態テーブル５６（図３）における対応するＰＴＴ端末４２の状態５４（図３）を、手動応答モード６８’にスイッチする。次いで、ＰＴＴサーバ４４は、ＳＩＰ／ＩＰコア４８に対するＳＩＰ  ２００  ＯＫ応答１００を用いて、参照番号９８においてルートされた通知９６に応答する。最後に、ＳＩＰ／ＩＰコア４８は、参照番号１０２において示されるように、ＳＩＰ２００  ＯＫ応答１００をＰＴＴ端末４２へルートする。
【００５９】
図５Ａを参照すると、別のメッセージ図が、ＰＴＴサーバ４４におけるＰＴＴ端末４２の動作モードを変更するためのメッセージシーケンスを示す。ユーザプレゼンスは、ＳＩＰ／ＩＰネットワーク上において、ユーザが他のユーザと通信するための意思と能力を表す。ＳＩＰは、ＰＴＴ端末４２などのプレゼンス機能および性能をサポートし、プレゼンスサーバ１０８などの適切なプレゼンスユーザエージェントに対して、適切なＳＩＰ公開方法を用いて、それら自体についてのプレゼンス状態情報を公開する。プレゼンスサーバ１０８は、ユーザとコンタクトするための様々なメカニズムを表すコンタクトアドレスのセットを含む。典型的には、音声のためにリストされたコンタクトアドレスは、記録されているアドレスである。そのコンタクトの状態は、例えば、その記録されているアドレスに対する任意の登録の状態を含む、多数の要因に依存し得る。登録状態は、ユーザプレゼンスに等しくあり得る。実際、これによって、プレゼンスサーバ１０８が、ＳＩＰレジストラ４６（図３）から分離され得るが、ＳＩＰレジストラ４６（図３）が加入するプレゼンティティ（ｐｒｅｓｅｎｔｉｔｙ）（例えば、プレゼンスエンティティ、プレゼンス情報のプレゼンスサービスへの提供）のプレゼンスを記載する、プレゼンスドキュメントを構成するために登録情報をさらに使用する。これは、図６および実施例３と共に、以下でさらに詳細に検討される。
【００６０】
プレゼンスサーバ１０８が特定のユーザのためのプレゼンス加入を受信する場合、プレゼンスサーバ１０８は、登録イベントパッケージのために、ＳＩＰレジストラ４６（図３）に対する加入を生成し得る。その結果、プレゼンスサーバ１０８は、そのユーザのための登録状態について学習し、次いで、その情報を用いて、プレゼンスドキュメントを生成することができる。あるいは、ＳＩＰレジストラ４６は、ＳＩＰ公開を用いて、プレゼンスサーバ１０８に対して、登録状態を公開することができ（例えば、図５Ａ〜５Ｂと共に以下で検討されるように）、あるいは、プレゼンスサーバ１０８は、新規ユーザが登録する場合、ＳＩＰレジストラ４６から第三者登録を受信することができる（例えば、図６と共に以下で検討されるように）。
【００６１】
図５Ａ〜図５Ｂを参照すると、ＰＴＴ端末４２は、別個のプレゼンスタプルとして、またはＳＩＰ公開方法を用いて送られる別のプレゼンスタプルの属性としてのいずれかとして、その動作（応答）モードを公開する。その公開方法は、（１）ＰＴＴセッションのセットアップを制御するＳＩＰ  ＰＴＴネットワークサーバ４４が、動作（応答）モードのための対応するＳＩＰ  ＰＴＴ端末のプレゼンス状態に対して加入することを可能にする、プレゼンスサーバ１０８などのネットワークベースのプレゼンスサーバエンティティ、または（２）プレゼンスユーザエージェント機能をインプリメントするＳＩＰ  ＰＴＴネットワークサーバ４４、のいずれかに対してルートされる。後者の例において、プレゼンスサーバ１０８は、ＰＴＴサーバ４４と同化する。それゆえ、ＰＴＴサーバ４４は、組み合わされたエンティティ間において用いられるメッセージ交換を用いて、プレゼンスサーバ１０８機能をインプリメントする。
【００６２】
ＰＴＴ端末４２が最初にＳＩＰレジストラ４６（図３）に登録した後、ＰＴＴサーバ４４は、ＳＩＰ／ＩＰコア４８を介して、ＰＴＴユーザのためのプレゼンスイベントパッケージに対するＳＩＰ加入リクエスト１１０を送信することによって、それに対応するＰＴＴ端末のプレゼンス状態に対して加入する。ＰＴＴサーバ４４が動作モード状態にのみ関心を示す場合、加入１１０の本体はフィルタ１１１を含み得、フィルタ１１１は、動作モード状態に対する変更のみが通知されるべきであることを示す。次に、ＳＩＰ／ＩＰコア４８は、参照番号１１２において示されるように、プレゼンスサーバ１０８へ、ＳＩＰ加入１１０をルートする。次いで、プレゼンスサーバ１０８は、ＳＩＰ／ＩＰコア４８を介して、ＳＩＰ  ２００  ＯＫ応答１１４を用いて、参照番号１１２においてルートされた加入１１０に応答する。次に、ＳＩＰ／ＩＰコア４８は、参照番号１１６において示されるように、ＰＴＴサーバ４４へ、ＳＩＰ  ２００  ＯＫ応答１１４をルートする。
【００６３】
自動応答モードにおいて、ＰＴＴ端末４２は、ＳＩＰ／ＩＰコア４８に対する公開１１８の本体において、動作モード＝自動１１９を含むＳＩＰ公開１１８を送信することによって、現在の動作モード（例えば、自動応答モード）、および、必要に応じて、追加のプレゼンス状態を通知する。次いで、ＳＩＰ／ＩＰコア４８は、参照番号１２０において示されるように、ＳＩＰ公開１１８をプレゼンスサーバ１０８へルートする。次に、プレゼンスサーバ１０８は、ＳＩＰ／ＩＰコア４８に対するＳＩＰ  ２００  ＯＫ応答１２２を用いて、参照番号１２０において示された公開１１８に応答する。次に、ＳＩＰ／ＩＰコア４８は、参照番号１２４において示されるように、ＰＴＴ端末４２へ、ＳＩＰ  ２００  ＯＫ応答１２２をルートする。
【００６４】
次に、プレゼンスサーバ１０８は、ＳＩＰ／ＩＰコア４８に対する通知１２６の本体において、動作モード＝自動１２７を含むプレゼンス情報を含むＳＩＰ通知１２６を送信することによって、それに対応するＰＴＴ端末の動作（応答）モードを通知する。次いで、ＳＩＰ／ＩＰコア４８は、参照番号１２８において示されるように、ＳＩＰ通知１２６をＰＴＴサーバ４４へルートする。次に、ＰＴＴサーバ４４は、その状態テーブル５６（図３）における対応するＰＴＴ端末４２の状態５４（図３）を、自動応答モード５８’’に設定する。次いで、ＰＴＴサーバ４４は、ＳＩＰ／ＩＰコア４８に対するＳＩＰ  ２００  ＯＫ応答１３０を用いて、参照番号１２８においてルートされた通知１２６に応答する。最後に、ＳＩＰ／ＩＰコア４８は、参照番号１３２において示されるように、ＳＩＰ２００  ＯＫ応答１３０をプレゼンスサーバ１０８へルートする。
【００６５】
図５Ｂを再び参照すると、参照番号１３３において、ユーザは、自動応答モードから手動応答モードへ、ＰＴＴ端末４２をスイッチする。これは、ＳＩＰ／ＩＰコア４８に対する公開１３４の本体において、動作モード＝手動１３５を含むＳＩＰ公開１３４を送信することによって、その現在の動作モード、および必要に応じて、追加のプレゼンス状態を通知するようにＰＴＴ端末４２をトリガする。次に、ＳＩＰ／ＩＰコア４８は、参照番号１３６において示されるように、ＳＩＰ公開１３４をプレゼンスサーバ１０８へルートする。次いで、プレゼンスサーバ１０８は、ＳＩＰ／ＩＰコア４８に対するＳＩＰ  ２００  ＯＫ応答１３８を用いて、参照番号１３６においてルートされた公開１３４に応答する。次に、ＳＩＰ／ＩＰコア４８は、参照番号１４０において示されるように、ＳＩＰ２００  ＯＫ応答１３８をＰＴＴ端末４２へルートする。
【００６６】
次に、プレゼンスサーバ１０８は、ＳＩＰ／ＩＰコア４８に対する通知１４２の本体において、動作モード＝手動１４３を含むプレゼンス情報を含むＳＩＰ通知１４２を送信することによって、それに対応するＰＴＴ端末の動作（応答）モードを通知する。次いで、ＳＩＰ／ＩＰコア４８は、参照番号１４４において示されるように、ＳＩＰ通知１４２をＰＴＴサーバ４４へルートする。次に、ＰＴＴサーバ４４は、その状態テーブル５６（図３）における対応するＰＴＴ端末４２の状態５４（図３）を、手動応答モード６８’’に設定する。次いで、ＰＴＴサーバ４４は、ＳＩＰ／ＩＰコア４８に対するＳＩＰ  ２００  ＯＫ応答１４６を用いて、参照番号１４４においてルートされた通知１４２に応答する。最後に、ＳＩＰ／ＩＰコア４８は、参照番号１４８において示されるように、ＳＩＰ２００  ＯＫ応答１４６をプレゼンスサーバ１０８へルートする。
【００６７】
図６を参照すると、ＰＴＴサーバ４４にＳＩＰ登録リクエスト５２または６６を送信する図３のＳＩＰ／ＩＰコア４８におけるＳＩＰレジストラ４６に対する代案として、ＳＩＰレジストラ４６が、プレゼンスサーバ１０８に対して、ＰＴＴ端末ＳＩＰ登録を公開し、ＰＴＴサーバ４４をしてプレゼンスサーバ１０８に対して加入させ、ＳＩＰ登録を発見し、プレゼンスサーバ１０８にＳＩＰレジストラ４６によって公開された動作応答モードを搬送させ得る。以下の開示は自動応答モードに関連するが、適切な対応する指示メカニズムが、手動応答モードまたは常時自動応答モードのために用いられ得ることは理解されたい。
【００６８】
ＰＴＴ端末４２はＳＩＰレジストラ４６に登録する前に、ＰＴＴサーバ４４は、ＳＩＰ／ＩＰコア４８を介して、ＰＴＴ端末のプレゼンスイベントに対して加入するために、ＳＩＰ加入リクエスト２１０を送信することによって、それに対応するＰＴＴ端末のプレゼンス状態に対して加入する。ＰＴＴサーバ４４が動作モード状態にのみ関心を示す場合、加入２１０の本体はフィルタ２１１を含み得、フィルタ２１１は、動作モード状態に対する変更のみが通知されるべきであることを示す。次に、ＳＩＰ／ＩＰコア４８は、参照番号２１２において示されるように、プレゼンスサーバ１０８へ、ＳＩＰ加入２１０をルートする。次いで、プレゼンスサーバ１０８は、ＳＩＰ／ＩＰコア４８を介して、ＳＩＰ  ２００  ＯＫ応答２１４を用いて、参照番号２１２においてルートされた加入２１０に応答する。次に、ＳＩＰ／ＩＰコア４８は、参照番号２１６において示されるように、ＰＴＴサーバ４４へ、ＳＩＰ  ２００  ＯＫ応答２１４をルートする。
【００６９】
次に、プレゼンスサーバ１０８は、ＳＩＰ／ＩＰコア４８に対する通知２２６の本体において、未登録状態２２７を含むプレゼンス情報を含むＳＩＰ通知２２６を送信することによって、ＰＴＴ端末４２が現在登録されていないことを通知する。次いで、参照番号２２８に示されるように、ＳＩＰ／ＩＰコア４８は、ＳＩＰ通知２２６をＰＴＴサーバ４４へルートする。それに応答して、ＰＴＴサーバ４４は、その状態テーブル５６（図３）における対応するＰＴＴ端末４２の状態５４（図３）を、未登録２１７に設定する。次いで、ＰＴＴサーバ４４は、ＳＩＰ／ＩＰコア４８に対するＳＩＰ  ２００  ＯＫ応答２３０を用いて、参照番号２２８においてルートされた通知２２６に応答する。最後に、ＳＩＰ／ＩＰコア４８は、参照番号２３２において示されるように、ＳＩＰ２００  ＯＫ応答２３０をプレゼンスサーバ１０８へルートする。
【００７０】
次いで、ＰＴＴ端末４２が電力を供給された後、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッダ２５１を含むＳＩＰ／ＩＰコア４８へのＳＩＰ登録リクエスト２５０を、送信することによって、自動応答モードにおいて、ＳＩＰ／ＩＰコア４８に登録する。そのＳＩＰ／ＩＰコア４８におけるＳＩＰレジストラ４６は、ＰＴＴ端末４２が登録する場合、プレゼンスサーバ１０８に、第三者登録を実行するように構成される。ＳＩＰ／ＩＰコア４８におけるＳＩＰレジストラ４６は、ＳＩＰ登録リクエスト２５２を、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッド２５３を含むプレゼンスサーバ１０８に送信する。それに応答して、プレゼンスサーバ１０８は、プレゼンスドキュメント（ＰＤ）２５６におけるＰＴＴ端末４２の状態２５４を、登録済および自動応答モードに設定する。次いで、ＳＩＰ／ＩＰコア４８におけるＳＩＰレジストラ４６は、ＰＴＴ端末４２へのＳＩＰ  ２００  ＯＫ応答２６０を用いて、ＳＩＰ登録リクエスト２５０に応答する。次に、プレゼンスサーバ１０８は、ＳＩＰ／ＩＰコア４８におけるＳＩＰレジストラ４６へのＳＩＰ  ２００  ＯＫ応答２６２を用いて、ＳＩＰ登録リクエスト２５２に応答する。
【００７１】
プレゼンスサーバ１０８はまた、ＳＩＰ／ＩＰコア４８に対する通知２６６の本体において、登録状態＝登録済および動作モード２６７を含むプレゼンス情報を含むＳＩＰ通知２６６を送信することによって、それに対応するＰＴＴ端末の動作（応答）モードを通知する。次いで、ＳＩＰ／ＩＰコア４８は、参照番号２６８において示されるように、ＳＩＰ通知２６６をＰＴＴサーバ４４へルートする。次に、ＰＴＴサーバ４４は、その状態テーブル５６（図３）における対応するＰＴＴ端末４２の状態５４（図３）を、登録済および自動応答モード５８’’’に設定する。次いで、ＰＴＴサーバ４４は、ＳＩＰ／ＩＰコア４８に対するＳＩＰ  ２００  ＯＫ応答２７０を用いて、参照番号２６８においてルートされた通知２６６に応答する。最後に、ＳＩＰ／ＩＰコア４８は、参照番号２７２において示されるように、ＳＩＰ２００  ＯＫ応答２７０をプレゼンスサーバ１０８へルートする。
【００７２】
ＰＴＴ端末４２が自動応答モードから手動応答モードまたは常時自動応答モードのうちの一つに変更される場合、ＰＴＴ端末４２は、適切なｆｅａｔｕｒｅ−ｐａｒａｍ（例えば、＋ｐｏｃ．ｏｐｅｒａｔｉｎｇ．ｍｏｄｅ＝“Ｍａｎｕａｌ”または“Ａｌｗａｙｓ−Ａｕｔｏ”）を用いて、コンタクトヘッダ２５１を含むＳＩＰ登録リクエスト２５０を用いることによって、適切なモードにおいて、ＳＩＰ／ＩＰコア４８に登録し、ならびに、コンタクトヘッダ２５３を含むＳＩＰ登録リクエスト２５２もまた、適切なｆｅａｔｕｒｅ−ｐａｒａｍを有することは理解される。別の方法において、メッセージ２５０、２５２、２６０、２６２、２６６、２６８、２７０、２７２が、同様の方法において用いられる。
【００７３】
図７は、ＳＩＰ登録リクエスト５２または６６をＰＴＴサーバ４４に送信する図３のＳＩＰ／ＩＰコア４８におけるＳＩＰ登録４６に対する別の代案を示す。以下の開示は自動応答モードに関連するが、適切な対応する指示メカニズムが、手動応答モードまたは常時自動応答モードのために用いられ得ることは理解されたい。例えば、ユーザがＰＴＴ端末４２を手動応答モードへスイッチする場合、これは、そのＰＴＴ端末による登録のリフレッシュをトリガする。ＰＴＴ端末４２は再び、＋ｐｏｃ．ｏｐｅｒａｔｉｎｇ．ｍｏｄｅ＝“Ｍａｎｕａｌ”のｆｅａｔｕｒｅ−ｐａｒａｍを有するコンタクトヘッダを含むＳＩＰ／ＩＰコア４８へ、別のＳＩＰ登録リクエスト（図示されず）を送信することによって、ＳＩＰ／ＩＰコア４８に登録する。
【００７４】
最初に、図７において、ＰＴＴサーバ４４は、ＰＴＴ端末４２の登録イベント２８１に対して加入するために、ＳＩＰ／ＩＰコア４８において、ＳＩＰレジストラ４６に対するＳＩＰ加入リクエスト２８０を送信する。次いで、ＳＩＰレジストラ４６は、ＰＴＴサーバ４４に対するＳＩＰ  ２００  ＯＫ応答２８２を用いて、加入２８０へ応答する。次に、ＳＩＰレジストラ４６は、ＰＴＴサーバ４４に対する通知２８４の本体において、未登録状態２８５を含むＳＩＰ通知２８４を送信することによって、ＰＴＴ端末４２が現在登録されていないことを通知する。それに応答して、ＰＴＴサーバ４４は、その状態テーブル５６（図３）における対応するＰＴＴ端末４２の状態５４（図３）を、未登録２８６に設定する。ＰＴＴサーバ４４は、ＳＩＰレジストラ４６に対するＳＩＰ  ２００  ＯＫ応答２８７を用いて、通知２８４に応答する。
【００７５】
ＰＴＴ端末４２が電力を供給された後、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッダ２８９を含むＳＩＰ／ＩＰコア４８へのＳＩＰ登録リクエスト２８８を、送信することによって、自動応答モードにおいて、ＳＩＰ／ＩＰコア４８に登録する。次に、ＳＩＰ／ＩＰコア４８におけるＳＩＰレジストラ４６は、ＰＴＴ端末４２に対するＳＩＰ  ２００  ＯＫ応答２９０を用いて、登録２８８に応答する。次いで、ＳＩＰ／ＩＰコア４８におけるＳＩＰ登録４６は、ＰＴＴサーバ４４に対する通知２９２の本体において、登録状態＝登済録および動作モード＝自動２９３を含むＳＩＰ通知２９２を送信することによって、それに対応するＰＴＴ端末の登録および動作モードを通知する。それに応答して、ＰＴＴサーバ４４は、その状態テーブル５６（図３）における対応するＰＴＴ端末４２の状態５４（図３）を、登録済および自動応答モード５８’’’’に設定する。次いで、ＰＴＴサーバ４４は、ＳＩＰレジスタ４６に対するＳＩＰ  ２００  ＯＫ応答２９４を用いて、通知２９２に応答する。
【００７６】
ＰＴＴ端末４２が自動応答モードから手動応答モードまたは常時自動応答モードのうちの一つに変更される場合、ＰＴＴ端末４２は、適切なｆｅａｔｕｒｅ−ｐａｒａｍ（例えば、＋ｐｏｃ．ｏｐｅｒａｔｉｎｇ．ｍｏｄｅ＝“Ｍａｎｕａｌ”または“Ａｌｗａｙｓ−Ａｕｔｏ”）を用いて、コンタクトヘッダ２８９を含むＳＩＰ登録リクエスト２８８を用いることによって、適切なモードにおいて、ＳＩＰ／ＩＰコア４８に登録し、ならびに、登録状態＝登録済および動作モード２９３を含むＳＩＰ通知２９２は、適切な登録された動作モードを含むことは理解されたい。別の方法において、メッセージ２８８、２９０、２９２、２９４が、同様の方法において用いられる。
【００７７】
図８は、ＳＩＰ登録リクエスト５２または６６をＰＴＴサーバ４４に送信する図３のＳＩＰ／ＩＰコア４８におけるＳＩＰレジスタ４６に対する別の代案を示す。以下の開示は初期モード（例えば、自動応答モード）およびそれに続くモード（例えば、手動応答モード）に関連するが、適切な対応する指示メカニズムが、続くモード変更（例えば、常時自動応答モードへの変更）のために用いられ得ることは理解されたい。例えば、ユーザがＰＴＴ端末４２を常時自動応答モードへスイッチする場合、これは、そのＰＴＴ端末による登録のリフレッシュをトリガする。ＰＴＴ端末４２は再び、＋ｐｏｃ．ｏｐｅｒａｔｉｎｇ．ｍｏｄｅ＝“Ａｌｗａｙｓ−Ａｕｔｏ”のｆｅａｔｕｒｅ−ｐａｒａｍを有するコンタクトヘッダ（図示されず）を含むＳＩＰ／ＩＰコア４８へ、別のＳＩＰ登録リクエスト（図示されず）を送信することによって、ＳＩＰ／ＩＰコア４８に登録する。
【００７８】
図８において、ＳＩＰレジストラ４６は、初期登録における第三者登録のみを実行する（例えば、ＰＴＴ端末４２がオンになった後）。ＰＴＴサーバ４４は、初期の第三者登録に応答して、そのＰＴＴ端末の動作モードおよびその登録状態に対する他の変更を得るために、ＰＴＴ端末の登録イベントパッケージに対して加入する。
【００７９】
最初に、ＰＴＴ端末４２はオンにされ、＋ｐｏｃ．ｏｐｅｒａｔｉｎｇ．ｍｏｄｅ＝“Ａｕｔｏ”のｆｅａｔｕｒｅ−ｐａｒａｍを有するコンタクトヘッダ３０１を含むＳＩＰ／ＩＰコア４８へのＳＩＰ登録リクエスト３００を、送信することによって、ＳＩＰ／ＩＰコア４８に登録する。ＳＩＰ／ＩＰコア４８におけるＳＩＰレジストラ４６は、ＰＴＴ端末４２が最初に登録する場合、ＰＴＴサーバ４４を用いて、第三者登録を実行するように構成される。次に、ＳＩＰ／ＩＰコア４８におけるＳＩＰレジストラ４６は、ＳＩＰ登録リクエスト３０２をＰＴＴサーバ４４に送信する。このＳＩＰ登録リクエスト３０２は、コンタクトヘッダ３０３において、動作モードパラメータを含まない。次いで、ＳＩＰ／ＩＰコア４８におけるＳＩＰレジストラ４６は、ＰＴＴ端末４２に対するＳＩＰ  ２００  ＯＫ応答３０４を用いて、登録３００に応答する。ＰＴＴサーバ４４は、ＳＩＰ／ＩＰコア４８におけるＳＩＰレジストラ４６に対するＳＩＰ  ２００  ＯＫ応答３０６を用いて、登録３０２に応答する。次に、ＰＴＴサーバ４４は、ＰＴＴ端末４２の登録イベント３０９に対して加入するために、ＳＩＰ加入リクエスト３０８をＳＩＰ／ＩＰコア４８におけるＳＩＰレジストラ４６へ送信する。次いで、ＳＩＰレジストラ４６は、ＰＴＴサーバ４４に対するＳＩＰ  ２００  ＯＫ応答３１０を用いて加入３０８に応答する。
【００８０】
ＳＩＰ／ＩＰコア４８におけるＳＩＰレジストラ４６はまた、通知３１２の本体において、登録状態＝登録済および動作モード＝自動３１３を含むＳＩＰ通知３１２をＰＴＴサーバ４４に対して送信することによって、ＰＴＴ端末の登録および動作モードを通知する。それに応答して、ＰＴＴサーバ４４は、その状態テーブル５６（図３）における対応するＰＴＴ端末４２の状態５４（図３）を、登録済および自動応答モード５８’’’’’に設定する。最後に、この初期モードのために、ＰＴＴサーバ４４は、ＳＩＰレジストラ４６に対するＳＩＰ  ２００  ＯＫ応答３１４を用いて、通知３１２に応答する。
【００８１】
例えば、ユーザがＰＴＴ端末４２を手動応答モードへスイッチする場合、これは、そのＰＴＴ端末４２による登録のリフレッシュをトリガする。ＰＴＴ端末４２は再び、＋ｐｏｃ．ｏｐｅｒａｔｉｎｇ．ｍｏｄｅ＝“Ｍａｎｕａｌ”のｆｅａｔｕｒｅ−ｐａｒａｍを有するコンタクトヘッダ３１７を含むＳＩＰ／ＩＰコア４８へ、ＳＩＰ登録リクエスト３１６を送信することによって、ＳＩＰ／ＩＰコア４８に登録する。ＳＩＰ／ＩＰコア４８におけるＳＩＰレジストラ４６は、ＰＴＴ端末４２に対するＳＩＰ  ２００  ＯＫ応答３２０を用いて、レジストラ３１６に応答する。ＳＩＰ／ＩＰコア４８におけるＳＩＰレジストラ４６はまた、ＰＴＴサーバ４４に対する通知３１８の本体において、動作モード＝手動３１９を含むプレゼンス情報を含むＳＩＰ通知３１８を送信することによって、ＰＴＴ端末の新たな動作モードを通知する。それに応答して、ＰＴＴサーバ４４は、その状態テーブル５６（図３）における対応するＰＴＴ端末４２の状態５４（図３）を、手動応答モード６８’’’に設定する。最後に、ＰＴＴサーバ４４は、ＳＩＰレジストラ４６に対するＳＩＰ  ２００  ＯＫ応答３２２を用いて、通知３１８に応答する。
【００８２】
図９Ａを参照すると、ＰＴＴ端末４２は、ＳＩＰ公開方法、および動作（応答）モードの現在値のための要素を含むイベントパッケージを用いた動作（応答）モードを通信する。その公開方法は、ＳＩＰ  ＰＴＴネットワークサーバ４４にルートされる。
【００８３】
ＰＴＴ端末４２は最初に、ＳＩＰレジストラ４６（図３）に登録する。自動応答モードにおいて、ＰＴＴ端末４２は、ＳＩＰ／ＩＰコア４８に対する公開３３８の本体において、動作モード＝自動３３９を含むＳＩＰ公開３３８を送信することによって、現在の動作モード（例えば、自動応答モード）を通知する。次いで、ＳＩＰ／ＩＰコア４８は、参照番号３４０において示されるように、ＳＩＰ公開３３８を、ＳＩＰ  ＰＴＴネットワークサーバ４４へルートする。それに応答して、ＰＴＴサーバ４４は、その状態テーブル５６（図３）における対応するＰＴＴ端末４２の状態５４（図３）を、自動応答モード５８’’’’’’に設定する。次に、ＰＴＴサーバ４４は、参照番号３４０においてルートされるように、ＳＩＰ／ＩＰコア４８に対するＳＩＰ  ２００  ＯＫ応答３４２を用いて、公開３３８に応答する。次に、ＳＩＰ／ＩＰコア４８は、参照番号３４４において示されるように、ＳＩＰ２００  ＯＫ応答３４２をＰＴＴ端末４２へルートする。
【００８４】
図９Ｂを参照すると、参照番号３５３において、ユーザはＰＴＴ端末４２を自動応答モードから手動応答モードへスイッチする。ＳＩＰ／ＩＰコア４８に対する公開３５４の本体において、動作モード＝手動３５５を含むＳＩＰ公開３５４を送信することによって、現在の動作（応答）モードを通知するように、ＰＴＴ端末４２をトリガする。次に、ＳＩＰ／ＩＰコア４８は、参照番号３５６において示されるように、ＳＩＰ公開３５４を、ＳＩＰ  ＰＴＴネットワークサーバ４４へルートする。それに応答して、ＰＴＴサーバ４４は、その状態テーブル５６（図３）における対応するＰＴＴ端末４２の状態５４（図３）を、手動応答モード６８’’’’に設定する。次いで、ＳＩＰ  ＰＴＴネットワークサーバ４４は、参照番号３５６においてルートされるように、ＳＩＰ／ＩＰコア４８に対するＳＩＰ  ２００  ＯＫ応答３５８を用いて、公開３５４に応答する。次に、ＳＩＰ／ＩＰコア４８は、参照番号３６０において示されるように、ＳＩＰ２００  ＯＫ応答３５８をＰＴＴ端末４２へルートする。
【００８５】
（実施例３）
図６および図７のメッセージ図への代替として、それらのメッセージフローの広範に及ぶ変形および／または組み合わせが可能である。例えば、図６のプレゼンスサーバ１０８は、ＰＴＴサーバ４４の代わりにプレゼンスサーバ１０８を用いて、図７から、メッセージ２８０、２８２、２８４、２８７、２９２、２９４を用い得、図６のメッセージ２５２、２６２の代わりに、ＰＴＴ端末４２の登録イベント２８１に対して加入を実行する。
【００８６】
１つの自動応答モード、１つの常時自動応答モード、および１つの手動応答モードが図２に関連して開示されているが、そのようなモードの２つまたは３つ全てが用いられ得る。
【００８７】
自動応答モードおよび手動応答モードが図３〜図５、図８および図９Ａ〜図９Ｂに関連して開示されるが、そのようなモードのうちの常時応答モードまたは任意の１つ、２つ、あるいは３つ全てが用いられ得る。
【００８８】
自動応答モードは図６および図７に関連して開示されるが、そのようなモードのうち、手動応答モード、常時自動応答モードまたは任意の１つ、２つ、あるいは、３つ全てが用いられ得る。
【００８９】
本明細書で用いられる場合、用語「自動応答（Ａｕｔｏｍａｔｉｃ−Ａｎｓｗｅｒ）モード」は、「自動応答（Ａｕｔｏ−Ａｎｓｗｅｒ）モード」と同じ意味である。
【００９０】
本明細書で用いられる場合、用語「自動応答（Ａｕｔｏ−Ａｎｓｗｅｒ）モード」は、「自動応答（Ａｕｔｏｍａｔｉｃ−Ａｎｓｗｅｒ）と同じ意味である。
【００９１】
本明細書で用いられる場合、用語「常時自動応答（Ａｕｔｏｍａｔｉｃ−Ａｎｓｗｅｒ）モード」は、「常時自動応答（Ａｕｔｏ−Ａｎｓｗｅｒ）モード」と同じ意味である。
【００９２】
本明細書で用いられる場合、用語「常時自動応答（Ａｕｔｏ−Ａｎｓｗｅｒ）モード」は、「常時自動応答（Ａｕｔｏｍａｔｉｃ−Ａｎｓｗｅｒ）モード」と同じ意味である。
【００９３】
本明細書において参照される場合、グループ管理サーバ（ＧＬＭＳ）は、グループリスト管理サーバ（図示されず）またはＸＭＬドキュメント管理サーバ（ＸＤＭＳ）（図示されず）であり得る。ドキュメント管理サーバおよび／またはデータベース（図示されず）は、ＸＤＭＳまたはＧＬＭＳあるいはグループリスト管理サーバを含み、グループ識別、コンタクトリスト、および／または認証政策（ｐｏｌｉｃｙ）を格納する。また、同時に動作する１つ以上のＸＤＭＳが存在し得る。
【００９４】
本発明の特定の実施形態が詳細に記載されている一方、それらの詳細に対する様々な修正および代替が本開示全体の教示に照らし合わせて展開されることは、当業者によって理解される。したがって、開示された特定の形態は、図示のためのみを目的としており、添付の請求の範囲およびその均等物全ての完全な広さを与えられた本発明の範囲に関して、限定を付すものではない。
【図面の簡単な説明】
【００９５】
【図１】ＳＩＰ  ＰＴＴ対応セル式電話などの、ＰＴＴサーバ、プレゼンスサーバ、および複数のＳＩＰ  ＰＴＴ端末を含む、セッション開始プロトコル（ＳＩＰ）／ＩＰセル式プッシュツートーク（ＰＴＴ）（ＰｏＣ）ネットワークなどの、インターネットプロトコル（ＩＰ）コアネットワークのブロック図である。
【図２】動作応答モードをインターネットプロトコルプッシュツートークネットワークサーバへ指示するための、動作応答モードを含む、ＰＴＴ端末のための方法のフローチャートである。
【図３】本発明の一実施形態に従ったメッセージ図である。
【図４】本発明の別の実施形態に従ったメッセージ図である。
【図５Ａ】本発明の別の実施形態に従ったメッセージ図である。
【図５Ｂ】本発明の別の実施形態に従ったメッセージ図である。
【図６】本発明の他の実施形態に従ったメッセージ図である。
【図７】本発明の他の実施形態に従ったメッセージ図である。
【図８】本発明の他の実施形態に従ったメッセージ図である。
【図９】図９Ａは本発明の他の実施形態に従ったメッセージ図であり、図９Ｂは本発明の他の実施形態に従ったメッセージ図である。
【図１】
2007531366.tif 000006
【図２】
2007531366.tif 000007
【図３】
2007531366.tif 000008
【図４】
2007531366.tif 000009
【図５Ａ】
2007531366.tif 000010
【図５Ｂ】
2007531366.tif 000011
【図６】
2007531366.tif 000012
【図７】
2007531366.tif 000013
【図８】
2007531366.tif 000014
【図９】
2007531366.tif 000015
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
動作モードを含んだプッシュツートーク通信デバイス用の方法であって、該方法は、プッシュツートークネットワークサーバに該動作モードを示し、
該プッシュツートーク通信デバイスの該動作モードとして、第１の応答モードと第２の応答モードとのうちの１つを用いることと、
該プッシュツートークネットワークサーバを含んだ通信ネットワークを用いることと、
該通信ネットワークを介して、該プッシュツートーク通信デバイスからのセッション開始プロトコルメッセージにおいて該プッシュツートークネットワークサーバに該動作モードを示すことと
を包含する、方法。
【請求項２】
前記第１の応答モードとして自動応答モードを用いることと、
前記第２の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項１に記載の方法。
【請求項３】
前記インターネットプロトコルプッシュツートークネットワークサーバに前記プッシュツートーク通信デバイスの前記動作モードを登録することをさらに包含する、請求項２に記載の方法。
【請求項４】
前記インターネットプロトコルコアネットワーク上のセッション開始プロトコルレジストラを用いることと、
第１のセッション開始プロトコル登録メッセージを前記プッシュツートーク通信デバイスから該セッション開始プロトコルレジストラに送信することと
をさらに包含する、請求項３に記載の方法。
【請求項５】
第２のセッション開始プロトコル登録メッセージを前記セッション開始プロトコルレジストラから前記インターネットプロトコルプッシュツートークネットワークサーバに送信することをさらに包含する、請求項４に記載の方法。
【請求項６】
前記プッシュツートーク通信デバイスの前記動作モードとして前記自動応答モードを用いることと、
前記第１のセッション開始プロトコル登録メッセージに、該自動応答モードを表すパラメータを有するヘッダを含めることと
をさらに包含する、請求項４に記載の方法。
【請求項７】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記自動応答モードを表すパラメータを有するヘッダを含めることと、
該インターネットプロトコルプッシュツートークネットワークサーバにおいて、前記プッシュツートーク通信デバイスの状態を該自動応答モードに設定することと
をさらに包含する、請求項６に記載の方法。
【請求項８】
前記プッシュツートーク通信デバイスの前記動作モードとして常時自動応答モードを用いることと、
前記第１のセッション開始プロトコル登録メッセージに、該常時自動応答モードを表すパラメータを有するヘッダを含めることと
をさらに包含する、請求項４に記載の方法。
【請求項９】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記常時自動応答モードを表すパラメータを有するヘッダを含めることと、
該インターネットプロトコルプッシュツートークネットワークサーバにおいて、前記プッシュツートーク通信デバイスの状態を該常時自動応答モードに設定することと
をさらに包含する、請求項８に記載の方法。
【請求項１０】
前記プッシュツートーク通信デバイスの前記動作モードとして前記手動応答モードを用いることと、
前記第１のセッション開始プロトコル登録メッセージに、該手動応答モードを表すパラメータを有するヘッダを含めることと
をさらに包含する、請求項４に記載の方法。
【請求項１１】
第２のセッション開始プロトコル登録メッセージを前記セッション開始プロトコルレジストラから前記インターネットプロトコルプッシュツートークネットワークサーバに送信することと、
該第２のセッション開始プロトコル登録メッセージに、前記手動応答モードを表すパラメータを有するヘッダを含めることと、
該インターネットプロトコルプッシュツートークネットワークサーバにおいて、前記プッシュツートーク通信デバイスの状態を該手動応答モードに設定することと
をさらに包含する、請求項１０に記載の方法。
【請求項１２】
前記プッシュツートーク通信デバイスの前記動作モードを前記インターネットプロトコルプッシュツートークネットワークサーバに通知することをさらに包含する、請求項２に記載の方法。
【請求項１３】
前記プッシュツートーク通信デバイスの前記動作モードに関連するセッション開始プロトコル加入メッセージを、前記インターネットプロトコルプッシュツートークネットワークサーバから前記インターネットプロトコルコアネットワークに送信することと、
該インターネットプロトコルコアネットワークによって、該セッション開始プロトコル加入メッセージを該プッシュツートーク通信デバイスにルーティングすることと
をさらに包含する、請求項１２に記載の方法。
【請求項１４】
前記プッシュツートーク通信デバイスによって所有される、前記自動応答モードを含んだイベントパッケージを規定および用いることをさらに包含する、請求項１３に記載の方法。
【請求項１５】
前記セッション開始プロトコル加入メッセージを用いて、前記プッシュツートーク通信デバイス上の前記イベントパッケージに加入することと、
前記自動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該自動応答モードに設定することと
をさらに包含する、請求項１４に記載の方法。
【請求項１６】
前記プッシュツートーク通信デバイスによって所有される、前記自動応答モードを含んだイベントパッケージを規定および用いることをさらに包含する、請求項１２に記載の方法。
【請求項１７】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を前記自動応答モードに設定することと
をさらに包含する、請求項１６に記載の方法。
【請求項１８】
前記プッシュツートーク通信デバイスによって所有される、常時自動応答モードを含んだイベントパッケージを規定および用いることをさらに包含する、請求項１３に記載の方法。
【請求項１９】
前記セッション開始プロトコル加入メッセージを用いて、前記プッシュツートーク通信デバイス上の前記イベントパッケージに加入することと、
前記常時自動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項１８に記載の方法。
【請求項２０】
前記プッシュツートーク通信デバイスによって所有される、前記常時自動応答モードを含んだイベントパッケージを規定および用いることをさらに包含する、請求項１２に記載の方法。
【請求項２１】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項２０に記載の方法。
【請求項２２】
前記プッシュツートーク通信デバイスによって所有される、前記手動応答モードを含んだイベントパッケージを規定および用いることをさらに包含する、請求項１３に記載の方法。
【請求項２３】
前記セッション開始プロトコル加入メッセージを用いて、前記プッシュツートーク通信デバイス上の前記イベントパッケージに加入することと、
前記手動応答モードに対するセッション開始プロトコル通知メッセージを該プッシュツートーク通信デバイスから前記インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項２２に記載の方法。
【請求項２４】
前記プッシュツートーク通信デバイスによって所有される、前記手動応答モードを含んだイベントパッケージを規定および用いることをさらに包含する、請求項１２に記載の方法。
【請求項２５】
前記プッシュツートーク通信デバイスの前記動作モードに関連する前記イベントパッケージを含んだセッション開始プロトコル公開メッセージを、該プッシュツートーク通信デバイスから前記インターネットプロトコルコアネットワークに送信することと、
該インターネットプロトコルコアネットワークによって、該セッション開始プロトコル公開メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項２４に記載の方法。
【請求項２６】
前記プッシュツートーク通信デバイスの前記動作モードを、前記インターネットプロトコルコアネットワークのプレゼンスサーバに公開することをさらに包含する、請求項２に記載の方法。
【請求項２７】
前記プッシュツートーク通信デバイスの前記動作モードを、前記インターネットプロトコルプッシュツートークネットワークサーバに公開することをさらに包含する、請求項２に記載の方法。
【請求項２８】
前記プッシュツートーク通信デバイスに対して、前記動作モードを含んだイベントパッケージを規定および用いることをさらに包含する、請求項２６に記載の方法。
【請求項２９】
前記イベントパッケージに対するセッション開始プロトコル加入メッセージを、前記インターネットプロトコルプッシュツートークネットワークサーバから前記インターネットプロトコルコアネットワークに送信することと、
該インターネットプロトコルコアネットワークによって、該セッション開始プロトコル加入メッセージを前記インターネットプロトコルコアネットワークの前記プレゼンスサーバにルーティングすることと
をさらに包含する、請求項２８に記載の方法。
【請求項３０】
前記自動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３１】
前記インターネットプロトコルコアネットワークによって、前記セッション開始プロトコル公開メッセージを前記プレゼンスサーバにルーティングすることと、
前記自動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該自動応答モードに設定することと
をさらに包含する、請求項３０に記載の方法。
【請求項３２】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記自動応答モードに設定することと
をさらに包含する、請求項３０に記載の方法。
【請求項３３】
常時自動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３４】
前記インターネットプロトコルコアネットワークによって、前記セッション開始プロトコル公開メッセージを前記プレゼンスサーバにルーティングすることと、
前記常時自動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該常時自動応答モードに設定することと
をさらに包含する、請求項３３に記載の方法。
【請求項３５】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記常時自動応答モードに設定することと
をさらに包含する、請求項３３に記載の方法。
【請求項３６】
前記手動応答モードの表示を含んだセッション開始プロトコル公開メッセージを前記プッシュツートーク通信デバイスから前記インターネットプロトコルコアネットワークに送信することをさらに包含する、請求項２８に記載の方法。
【請求項３７】
前記インターネットプロトコルコアネットワークによって、前記セッション開始プロトコル公開メッセージを前記プレゼンスサーバにルーティングすることと、
前記手動応答モードの表示を含んだセッション開始プロトコル通知メッセージを該プレゼンスサーバから該インターネットプロトコルコアネットワークに送信することと、
該インターネットプロトコルコアネットワークによって、該セッション開始プロトコル通知メッセージを前記インターネットプロトコルプッシュツートークネットワークサーバにルーティングすることと、
該インターネットプロトコルプッシュツートークネットワークサーバにおいて、該プッシュツートーク通信デバイスの状態を該手動応答モードに設定することと
をさらに包含する、請求項３６に記載の方法。
【請求項３８】
前記インターネットプロトコルコアネットワークによって、前記セッション開始プロトコル公開メッセージを前記インターネットプロトコルプッシュツートークネットワークサーバにルーティングすることと、
該インターネットプロトコルプッシュツートークネットワークサーバにおいて、前記プッシュツートーク通信デバイスの状態を前記手動応答モードに設定することと
をさらに包含する、請求項３６に記載の方法。
【請求項３９】
前記プッシュツートーク通信デバイスとして無線プッシュツートーク端末を用いることをさらに包含する、請求項２に記載の方法。
【請求項４０】
前記インターネットプロトコルコアネットワークとしてセッション開始プロトコル／インターネットコアネットワークを用いることをさらに包含する、請求項２に記載の方法。
【請求項４１】
前記インターネットプロトコルプッシュツートークネットワークサーバに前記動作モードを示すために、前記インターネットプロトコルコアネットワークとして、セッション開始プロトコルセルラ方式プッシュツートークネットワークを用いることをさらに包含する、請求項２に記載の方法。
【請求項４２】
前記プッシュツートーク通信デバイスにおいて、前記自動応答モードと、常時自動応答モードと、前記手動応答モードとのうちの一つを選択することと、前記インターネットプロトコルコアネットワークを介して、前記インターネットプロトコルプッシュツートークネットワークサーバに該プッシュツートーク通信デバイスからのセッション開始プロトコルメッセージにおいて該動作モードを示すことを、応答して提供することと、をさらに包含する、請求項２に記載の方法。
【請求項４３】
前記プッシュツートーク通信デバイスにおいて、前記自動応答モードと、前記常時自動応答モードと、前記手動応答モードとのうちの一つを選択するために、トグルスイッチを用いることをさらに包含する、請求項４２に記載の方法。
【請求項４４】
前記インターネットプロトコルコアネットワーク上のセッション開始プロトコルプレゼンスサーバを用いることと、
前記動作モードを含んだセッション開始プロトコル登録メッセージを、前記プッシュツートーク通信デバイスから該インターネットプロトコルコアネットワークに送信することと、
該インターネットプロトコルコアネットワークによって、該動作モードを含んだ該セッション開始プロトコル登録メッセージを該プレゼンスサーバにルーティングすることと
をさらに包含する、請求項２に記載の方法。
【請求項４５】
前記動作モードを含んだセッション開始プロトコル通知メッセージを、前記プレゼンスサーバから前記インターネットプロトコルコアネットワークに送信することと、
該インターネットプロトコルコアネットワークによって、該動作モードを含んだ該セッション開始プロトコル通知メッセージを前記インターネットプロトコルプッシュツートークネットワークサーバにルーティングすることと
をさらに包含する、請求項４４に記載の方法。
【請求項４６】
前記インターネットプロトコルコアネットワーク上のセッション開始プロトコル登録サーバを用いることと、
該セッション開始プロトコル登録サーバにおいて、前記インターネットプロトコルプッシュツートークネットワークサーバから前記プッシュツートーク通信デバイスに対する登録イベントパッケージへの加入を受諾することと、
該プッシュツートーク通信デバイスの前記動作モードを該登録サーバに登録することと
をさらに包含する、請求項２に記載の方法。
【請求項４７】
前記動作モードに対するセッション開始プロトコル通知メッセージを前記登録サーバから前記インターネットプロトコルプッシュツートークネットワークサーバに送信することをさらに包含する、請求項４６に記載の方法。
【請求項４８】
前記インターネットプロトコルコアネットワーク上のセッション開始プロトコル登録サーバを用いることと、
該セッション開始プロトコル登録サーバにおいて、前記インターネットプロトコルプッシュツートークネットワークサーバから前記プッシュツートーク通信デバイスに対する登録イベントパッケージへの加入を受諾することと、
該プッシュツートーク通信デバイスの前記動作モードを該登録サーバに登録することと、
該インターネットプロトコルプッシュツートークネットワークサーバに該動作モードを通知することと
をさらに包含する、請求項２に記載の方法。
【請求項４９】
前記プッシュツートーク通信デバイスの前記動作モードとして第１の動作モードを用いることと、
該第１の動作モードを該プッシュツートーク通信デバイスの異なる第２の動作モードに変更することと、
該プッシュツートーク通信デバイスの該異なる第２の動作モードを前記登録サーバに登録することと、
前記インターネットプロトコルプッシュツートークネットワークサーバに該異なる第２の動作モードを通知することと
をさらに包含する、請求項４８に記載の方法。
【請求項５０】
前記インターネットプロトコルコアネットワーク上のセッション開始プロトコル登録サーバを用いることと、
該インターネットプロトコルコアネットワーク上のセッション開始プロトコルプレゼンスサーバを用いることと、
該セッション開始プロトコル登録サーバにおいて、前記インターネットプロトコルプレゼンスサーバから前記プッシュツートーク通信デバイスに対する登録イベントパッケージへの加入を受諾することと、
該プッシュツートーク通信デバイスの前記動作モードを該登録サーバに登録することと
をさらに包含する、請求項２に記載の方法。
【請求項５１】
前記動作モードに対するセッション開始プロトコル通知メッセージを前記登録サーバから前記プレゼンスサーバに送信することをさらに包含する、請求項５０に記載の方法。
【請求項５２】
前記動作モードに対する別のセッション開始プロトコル通知メッセージを前記プレゼンスサーバから前記インターネットプロトコルプッシュツートークネットワークサーバに送信することをさらに包含する、請求項５１に記載の方法。
【請求項５３】
動作モードを含んだプッシュツートーク通信デバイス用の方法であって、該方法は、プッシュツートークネットワークサーバに該動作モードを示し、
該プッシュツートーク通信デバイスの該動作モードとして、第１の応答モードと第２の応答モードと第３の応答モードとのうちの１つを用いることと、
該プッシュツートークネットワークサーバを含んだ通信ネットワークを用いることと、
該通信ネットワークを介して、該プッシュツートーク通信デバイスからのセッション開始プロトコルメッセージにおいて該プッシュツートークネットワークサーバに該動作モードを示すことと
を包含する、方法。
【請求項５４】
前記第１の応答モードとして自動応答モードを用いることと、
前記第２の応答モードとして常時自動応答モードを用いることと、
前記第３の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項５３に記載の方法。
【請求項５５】
前記プッシュツートーク通信デバイスにおいて、前記自動応答モードと、前記常時自動応答モードと、前記手動応答モードとのうちの一つを選択するために、トグルスイッチを用いることをさらに包含する、請求項５４に記載の方法。
【請求項５６】
動作モードを含んだプッシュツートーク通信デバイス用の方法であって、該方法は、プッシュツートークネットワークサーバに該動作モードを送信し、
該プッシュツートーク通信デバイスの該動作モードとして、少なくとも、第１の応答モードと第２の応答モードとのうちの１つを用いることと、
該プッシュツートークネットワークサーバを含んだ通信ネットワークを用いることと、
該通信ネットワークを介して、該プッシュツートーク通信デバイスからの、または該プッシュツートーク通信デバイスの代わりの別のデバイスからのイベント報告メッセージにおいて該プッシュツートークネットワークサーバに該動作モードを送信することと
を包含する、方法。
【請求項５７】
前記第１の応答モードとして自動応答モードを用いることと、
前記第２の応答モードとして手動応答モードを用いることと、
前記通信ネットワークとしてインターネットプロトコルコアネットワークを用いることと、
前記プッシュツートークネットワークサーバとしてインターネットプロトコルプッシュツートークネットワークサーバを用いることと
をさらに包含する、請求項５６に記載の方法。
【請求項５８】
前記プッシュツートーク通信デバイスの前記動作モードとして第３の応答モードとしての常時自動応答モードを用いることをさらに包含する、請求項５７に記載の方法。
【請求項５９】
前記イベント報告メッセージとしてセッション開始プロトコルメッセージを用いることをさらに包含する、請求項５６に記載の方法。
【請求項６０】
前記イベント報告メッセージとしてセッション開始プロトコル通知メッセージ用いることをさらに包含する、請求項５６に記載の方法。
【請求項６１】
前記イベント報告メッセージとしてセッション開始プロトコル公開メッセージ用いることをさらに包含する、請求項５６に記載の方法。
【請求項６２】
前記イベント報告メッセージにおけるイベントを前記動作モードに対してエンコードするように、イベントパッケージを用いることをさらに包含する、請求項６０に記載の方法。
【請求項６３】
前記イベント報告メッセージにおけるイベントを前記動作モードに対してエンコードするように、イベントパッケージを用いることをさらに包含する、請求項６１に記載の方法。
【請求項６４】
前記イベント報告メッセージに対する前記イベントパッケージのＸＭＬエンコードを用いることをさらに包含する、請求項６２に記載の方法。
【請求項６５】
前記イベント報告メッセージに対する前記イベントパッケージのＸＭＬエンコードを用いることをさらに包含する、請求項６３に記載の方法。
【請求項６６】
動作モードを含んだプッシュツートークハンドヘルド電子デバイスであって、該プッシュツートークツートークハンドヘルド電子デバイスは、
プッシュツートークツートークネットワークサーバを含んだ通信ネットワークと通信するための手段と、
該通信ネットワークを介して、該プッシュツートークハンドヘルド電子デバイスからのセッション開始プロトコルメッセージにおいて該プッシュツートークネットワークサーバに該動作モードを示すための手段と
を備え、該動作モードが、第１の応答モードと第２の応答モードとのうちの１つである、プッシュツートークツートークハンドヘルド電子デバイス。
【請求項６７】
動作モードを含んだプッシュツートーク通信デバイス用のプッシュツートークネットワークサーバであって、該動作モードは、第１の応答モードと第２の応答モードとのうちの１つであり、該プッシュツートーク通信デバイスは、通信ネットワークを介して、該プッシュツートーク通信デバイスからのセッション開始プロトコルメッセージにおいて該プッシュツートークネットワークサーバに該動作モードを示し、該プッシュツートークネットワークサーバは、
該セッション開始プロトコルメッセージを受信するように、該通信ネットワークと通信するための手段と、
該セッション開始プロトコルメッセージに応答して、該プッシュツートークネットワークサーバにおいて、該動作モードに対応する該プッシュツートーク通信デバイスの状態を設定するための手段と
を備える、プッシュツートークネットワークサーバ。
【国際調査報告】
2007531366.tif 000016
2007531366.tif 000017
2007531366.tif 000018
2007531366.tif 000019